(57)【要約】  コードブロックの分割を実現する方法及び装置であって、取得した分割関連パラメータに基づいて、コードブロックの参照情報パケット長を決定することと、参照情報パケット長及びハードウェアパラメータに基づいて、最大の情報パケット長を決定することと、取得した分割関連パラメータ、ハードウェアパラメータ、及び決定した最大の情報パケット長に基づいて、最大の情報パケット長を超えたトランスポートブロックを２つ以上のコードブロックに分割することと、を含み、コードブロックの分割後の情報長さが、決定した最大の情報パケット長よりも小さい。本願の方法は、取得した分割関連パラメータに基づいて、分割されるコードブロックの最大の情報パケット長を決定し、コードブロックの分割を行うことにより、コードブロックの分割に起因するシステムの遅延時間を低減し、コードブロックの分割で発生した遅延時間によってシステムの動作が妨害されることを回避し、システムの性能を向上させる。
2018516477.tif 000002
【特許請求の範囲】
【請求項１】
取得した分割関連パラメータに基づいて、コードブロックの参照情報パケット長を決定することと、
前記参照情報パケット長及びハードウェアパラメータに基づいて、最大の情報パケット長を決定することと、
取得した分割関連パラメータ、ハードウェアパラメータ、及び決定した最大の情報パケット長に基づいて、最大の情報パケット長を超えたトランスポートブロックを２つ以上のコードブロックに分割することと、を含み、
前記コードブロックの分割後の情報長さが、前記決定した最大の情報パケット長よりも小さい、
コードブロックの分割を実現する方法。
【請求項２】
前記分割関連パラメータは、物理チャネルリソースパラメータ、及び／又はスペクトル効率パラメータを含む、
請求項１に記載の方法。
【請求項３】
前記スペクトル効率パラメータは、伝送信号の変調方式Ｍ、トランスポートブロックの伝送レートＲ、及び伝送信号が占用する空間レイヤ数Ｎlayerのうちの１つ又は複数のパラメータを含み、
前記物理チャネルリソースパラメータは、すべてのコードブロックが時間領域において占用することが許可される最大の直交周波数分割多重技術ＯＦＤＭシンボルの数Ｎcb及び伝送信号が占用する周波数領域におけるサブキャリアの数Ｎsubcarrierを含み、
前記参照情報パケット長を決定することは、
前記物理チャネルリソースパラメータ及び前記スペクトル効率パラメータに基づいてコードブロックの参照情報パケット長ＫＲを決定することを含む、
請求項２に記載の方法。
【請求項４】
前記コードブロックの参照情報パケット長ＫRは、式
2018516477.tif 000077
によって取得され、
前記伝送信号が占用する周波数領域におけるサブキャリアの数Ｎsubcarrierは、伝送信号が占用するリソースブロックの数ＮRBとそれぞれのリソースブロックに含まれるサブキャリアの数ＮSPとの積に等しい、
請求項３に記載の方法。
【請求項５】
前記物理チャネルリソースパラメータは、トランスポートブロックが占用する時間領域における直交周波数分割多重技術ＯＦＤＭシンボルの数Ｎtb及びそれぞれのコードブロックが時間領域において占用することが許可される最大のＯＦＤＭシンボルの数Ｎcbを含み、前記分割関連パラメータは、トランスポートブロックのサイズＢ、符号化ブロック巡回冗長検査符号ＣＲＣの長さＬをさらに含み、
前記コードブロックの参照情報パケット長ＫRを決定することは、
トランスポートブロックのサイズＢ、符号化ブロックＣＲＣの長さＬ及び物理チャネルリソースパラメータによってコードブロックの参照情報パケット長ＫRを決定することを含む、
請求項２に記載の方法。
【請求項６】
前記コードブロックの参照情報パケット長ＫRは、式
2018516477.tif 000078
によって取得される、
請求項５に記載の方法。
【請求項７】
前記分割関連パラメータは、ハードウェアパラメータをさらに含み、前記ハードウェアパラメータは、端末のキャッシュサイズを示すことができる品種別パラメータユーザ機器カテゴリーＵＥ  Ｃａｔｅｇｏｒｙであり、
前記物理チャネルリソースパラメータは、トランスポートブロックが占用する時間領域における直交周波数分割多重技術ＯＦＤＭシンボルの数Ｎtb、それぞれのコードブロックが時間領域において占用することが許可される最大のＯＦＤＭシンボルの数Ｎcbを含み、
前記コードブロックの参照情報パケット長ＫRを決定することは、
前記端末のキャッシュサイズを示すことができる品種別パラメータＵＥ  Ｃａｔｅｇｏｒｙに基づいて、トランスポートブロックが占用可能な最大のソフトビット数ＮSoftbitsを取得することと、
トランスポートブロックが占用する時間領域におけるＯＦＤＭシンボルの数Ｎtb、それぞれのコードブロックが時間領域において占用することが許可される最大のＯＦＤＭシンボルの数Ｎcbに基づいて、前記トランスポートブロック中に含まれる最小のコードブロック数ＣＢnumである、
2018516477.tif 000079
を取得することと、
式
2018516477.tif 000080
によって参照情報パケット長ＫRを取得することと、を含み、
ただし、
2018516477.tif 000081
は、Ｘを切り上げることを示す、
請求項２に記載の方法。
【請求項８】
前記ハードウェアパラメータは、エンコーダがサポートする最大の情報パケット長Ｋencoder、及び／又はエンコーダがサポートする情報パケット長の集合{Ｋ}interleaverであり、
トランスポートブロックの符号化方式が畳み込み符号であれば、前記最大の情報パケット長Ｋmaxが
2018516477.tif 000082
として決定され、
トランスポートブロックの符号化方式がターボＴｕｒｂｏ符号であれば、
参照情報パケット長ＫRが、前記エンコーダがサポートする最大の情報パケット長Ｋencoderよりも小さい場合、エンコーダがサポートする情報パケット長の集合{Ｋ}interleaverから、コードブロックの参照情報パケット長ＫＲ以上であり且つＫRに最も近い情報パケット長を選んでコードブロックの最大の情報パケット長Ｋmaxとし、
前記参照情報パケット長ＫRが、前記エンコーダがサポートする最大の情報パケット長Ｋencoder以上である場合、前記エンコーダがサポートする最大の情報パケット長Ｋencoderを選んでコードブロックの最大の情報パケット長Ｋｍａｘとするように、前記最大の情報パケット長Ｋmaxが決定され、
ただし、関数ｍｉｎ（）は、最小値を取ることを示す、
請求項３乃至７のうち何れか一項に記載の方法。
【請求項９】
トランスポートブロックの符号化方式がＴｕｒｂｏ符号であれば、前記最大の情報パケット長Ｋmaxは、式
2018516477.tif 000083
によって取得され、
2018516477.tif 000084
は、Ｆ（Ｘ）が最小値を取得することを示す、
請求項８に記載の方法。
【請求項１０】
前記分割関連パラメータ及び／又はハードウェアパラメータは、伝送モード指示、下り制御情報フォーマットＤＣＩ  ｆｏｒｍａｔ及び無線ネットワーク一時識別子ＲＮＴＩのうち任意の１つ又は複数の方式によって取得される、
請求項１乃至７のうち何れか一項に記載の方法。
【請求項１１】
伝送モード指示、下り制御情報フォーマットＤＣＩ  ｆｏｒｍａｔ、又は無線ネットワーク一時識別子ＲＮＴＩで直接指示することにより、前記最大の情報パケット長Ｋmaxを取得すること、をさらに含む、
請求項１乃至７のうち何れか一項に記載の方法。
【請求項１２】
前記分割関連パラメータは、トランスポートブロックのサイズＢ、符号化ブロック巡回冗長検査符号ＣＲＣの長さＬをさらに含み、
前記ハードウェアパラメータは、エンコーダがサポートする情報パケット長の集合{Ｋ}interleaverを含み、
前記コードブロックの分割は、
トランスポートブロックのサイズＢ、符号化ブロックＣＲＣの長さＬ、及び前記最大の情報パケット長Ｋmaxに基づいて、分割されるコードブロック数Ｃを決定することと、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定することと、
決定したそれぞれのコードブロックの情報パケット長に基づいて、コードブロックの分割を行うことと、を含む、
請求項２に記載の方法。
【請求項１３】
前記分割されるコードブロック数Ｃが、
2018516477.tif 000085
として決定され、
ただし、
2018516477.tif 000086
は、ｘを切り上げることを示す、
請求項１２に記載の方法。
【請求項１４】
それぞれのコードブロックの情報パケット長を決定することは、
トランスポートブロックのサイズＢが（Ｋmax−Ｌ）又はコードブロック数Ｃで割れ切れることができれば、それぞれのコードブロックの情報パケット長はいずれもＢ／Ｃであることと、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分けることと、を含み、
前記第１のタイプのコードブロックのコードブロック情報パケット長ＫIは、エンコーダがサポートする情報パケット長の集合{Ｋ}interleaverのうち、コードブロック数Ｃに前記第１のタイプのコードブロックのコードブロック情報パケット長ＫIを乗じたものがトランスポートブロックのサイズＢ以上であることを満たすＫの最小値であり、
前記第２のタイプのコードブロックのコードブロック情報パケット長ＫIIは、エンコーダがサポートする情報パケット長の集合{Ｋ}interleaverのうち、前記第２のタイプのコードブロックのコードブロック情報パケット長ＫIIが前記第１のタイプのコードブロックのコードブロック情報パケット長ＫIよりも小さいことを満たすＫの最大値である、
請求項１２に記載の方法。
【請求項１５】
前記第１のタイプのコードブロックのコードブロック情報パケット長ＫIは、
2018516477.tif 000087
であり、
前記第２のタイプのコードブロックのコードブロック情報パケット長ＫIIは、
2018516477.tif 000088
であり、
前記第１のタイプのコードブロック数ＣI及び前記第２のタイプのコードブロックＣIIは、
2018516477.tif 000089
、
2018516477.tif 000090
、を満たし、
ただし、
2018516477.tif 000091
は、ｘを切り下げることを示す、
請求項１４に記載の方法。
【請求項１６】
コードブロックの分割が終了した後、前ＣII個のコードブロックを前記第２のタイプのコードブロックとし、後ＣI個のコードブロックを前記第１のタイプのコードブロックとすること、をさらに含む、
請求項１５に記載の方法。
【請求項１７】
分割後のそれぞれのコードブロックに対して巡回冗長検査符号ＣＲＣを付加し、チャネルコーディング及びレートマッチングを行った後、対応する符号化済みコードブロックを得、得られた符号化済みコードブロックのコードブロック結合を行うこと、をさらに含む、
請求項１に記載の方法。
【請求項１８】
分割された２つ以上のコードブロックをパケット符号化し、チェックデータブロックを生成すること、をさらに含む、
請求項１７に記載の方法。
【請求項１９】
それぞれの前記符号化済みコードブロックにおける任意位置の一部のビット、及びパケット符号化で生成したそれぞれの前記チェックデータブロックにおける任意位置の前記一部のビットを削除すること、をさらに含み、
前記一部のビットのサイズの算出は、
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になるステップによって行われる、
請求項１８に記載の方法。
【請求項２０】
一部のビットが削除された前記符号化済みコードブロックと、一部のビットが削除された前記パケット符号化で生成したチェックデータブロックとをコードブロック結合すること、をさらに含み、
前記コードブロック結合とは、一部のビットが削除された前記符号化済みコードブロックと一部のビットが削除された前記パケット符号化で生成したチェックデータブロックとのビットを縦列連接するとともに、一部のビットが削除された前記パケット符号化で生成したチェックデータブロックを、一部のビットが削除された前記符号化済みコードブロックより後に置くことである、
請求項１９に記載の方法。
【請求項２１】
取得した分割関連パラメータに基づいて、コードブロックの参照情報パケット長を決定する参照ユニットと、
参照情報パケット長及びハードウェアパラメータに基づいて、最大の情報パケット長を決定する決定ユニットと、
取得した分割関連パラメータ、ハードウェアパラメータ、及び決定した最大の情報パケット長に基づいて、最大の情報パケット長を超えたトランスポートブロックを２つ以上のコードブロックに分割する分割ユニットと、を備え、
前記コードブロックの分割後の情報長さが、前記決定した最大の情報パケット長よりも小さい、
コードブロックの分割を実現する装置。
【請求項２２】
前記参照ユニットは、
取得した物理チャネルリソースパラメータ、及び／又はスペクトル効率パラメータに基づいてコードブロックの参照情報パケット長を決定する、
請求項２１に記載の装置。
【請求項２３】
前記参照ユニットは、
伝送信号の変調方式Ｍ、トランスポートブロックの伝送レートＲ、及び伝送信号が占用する空間レイヤ数Ｎlayerのうちの任意の１つ又は複数のパラメータを含む取得したスペクトル効率パラメータと、すべてのコードブロックが時間領域において占用することが許可される最大のＯＦＤＭシンボルの数Ｎcb及び伝送信号が占用する周波数領域におけるサブキャリアの数Ｎsubcarrierを含む取得した物理チャネルリソースパラメータに基づいて、コードブロックの参照情報パケット長ＫRを決定する、
請求項２２に記載の装置。
【請求項２４】
前記参照ユニットは、
取得した物理チャネルリソースパラメータ、及び／又はスペクトル効率パラメータに基づいて、式
2018516477.tif 000092
によって前記コードブロックの参照情報パケット長ＫRを算出する、
請求項２３に記載の装置。
【請求項２５】
前記参照ユニットは、さらに、
トランスポートブロックのサイズＢ、符号化ブロックＣＲＣの長さＬを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを含む取得した物理チャネルリソースパラメータに基づいて、コードブロックの参照情報パケット長ＫRを決定する、
請求項２２に記載の装置。
【請求項２６】
前記参照ユニットは、さらに、
トランスポートブロックのサイズＢ、符号化ブロックＣＲＣの長さＬを取得し、取得した物理チャネルリソースパラメータに基づいて、式
2018516477.tif 000093
によってコードブロックの参照情報パケット長ＫRを決定する、
請求項２５に記載の装置。
【請求項２７】
前記参照ユニットは、さらに、
端末のキャッシュサイズを示すことができる品種別パラメータＵＥ  Ｃａｔｅｇｏｒｙを含むハードウェアパラメータを取得し、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを含む取得した物理チャネルリソースパラメータに基づいて、前記トランスポートブロック中に含まれる最小のコードブロック数ＣＢnumである、
2018516477.tif 000094
を取得し、
式
2018516477.tif 000095
によって参照情報パケット長ＫRを取得する、
請求項２２に記載の装置。
【請求項２８】
前記ハードウェアパラメータは、エンコーダがサポートする最大の情報パケット長Ｋencoder、及び／又はエンコーダがサポートする情報パケット長の集合{Ｋ}interleaverであり、
前記決定ユニットが参照情報パケット長及びハードウェアパラメータに基づいて、最大の情報パケット長を決定することは、以下のように行われ、
トランスポートブロックの符号化方式が畳み込み符号であれば、前記最大の情報パケット長Ｋmaxが
2018516477.tif 000096
として決定され、
トランスポートブロックの符号化方式がＴｕｒｂｏ符号であれば、
参照情報パケット長ＫRが、前記エンコーダがサポートする最大の情報パケット長Ｋencoderよりも小さい場合、エンコーダがサポートする情報パケット長の集合{Ｋ}interleaverから、コードブロックの参照情報パケット長ＫR以上であり且つＫRに最も近い情報パケット長を選んでコードブロックの最大の情報パケット長Ｋmaxとし、
前記参照情報パケット長ＫRが、前記エンコーダがサポートする最大の情報パケット長Ｋencoder以上である場合、前記エンコーダがサポートする最大の情報パケット長Ｋencoderを選んでコードブロックの最大の情報パケット長Ｋmaxとするように、前記最大の情報パケット長Ｋmaxが決定され、
ただし、関数ｍｉｎ（）は、最小値を取ることを示す、
請求項２３乃至２７のうち何れか一項に記載の装置。
【請求項２９】
前記ハードウェアパラメータは、エンコーダがサポートする最大の情報パケット長Ｋencoder、及び／又はエンコーダがサポートする情報パケット長の集合{Ｋ}interleaverであり、
前記決定ユニットが参照情報パケット長及びハードウェアパラメータに基づいて、最大の情報パケット長を決定することは、以下のように行われ、
トランスポートブロックの符号化方式が畳み込み符号であれば、前記最大の情報パケット長Ｋmaxが
2018516477.tif 000097
として決定され、
トランスポートブロックの符号化方式がＴｕｒｂｏ符号であれば、前記最大の情報パケット長Ｋmaxが
2018516477.tif 000098
として決定される、
請求項２３乃至２７のうち何れか一項に記載の装置。
【請求項３０】
伝送モード指示、下り制御情報フォーマットＤＣＩ  ｆｏｒｍａｔ、及び／又は無線ネットワーク一時識別子ＲＮＴＩによって、前記分割関連パラメータ及び／又はハードウェアパラメータを取得する取得ユニットをさらに備える、
請求項２１乃至２７のうち何れか一項に記載の装置。
【請求項３１】
伝送モード指示、ＤＣＩ  ｆｏｒｍａｔ、及びＲＮＴＩで直接指示する方式のうちの任意の１つ又は複数の方式によって、前記最大の情報パケット長Ｋmaxを取得する指示ユニットをさらに備える、
請求項２１乃至２７のうち何れか一項に記載の装置。
【請求項３２】
前記分割関連パラメータは、トランスポートブロックのサイズＢ、符号化ブロックＣＲＣの長さＬをさらに含み、
前記ハードウェアパラメータは、エンコーダがサポートする情報パケット長の集合{Ｋ}interleaverを含み、
前記分割ユニットは、
トランスポートブロックのサイズＢ、符号化ブロックＣＲＣの長さＬ、及び最大の情報パケット長Ｋmaxに基づいて、分割されるコードブロック数Ｃを決定し、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定し、
決定したそれぞれのコードブロックの情報パケット長に基づいて、コードブロックの分割を行う、
請求項２２に記載の装置。
【請求項３３】
前記分割ユニットは、
式
2018516477.tif 000099
によって、分割されるコードブロック数Ｃを決定し、ただし、
2018516477.tif 000100
は、ｘを切り上げることを示し、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定し、
決定したそれぞれのコードブロックの情報パケット長に基づいて、コードブロックの分割を行う、
請求項３２に記載の装置。
【請求項３４】
前記分割ユニットは、
トランスポートブロックのサイズＢ、符号化ブロックＣＲＣの長さＬ、及び最大の情報パケット長Ｋmaxに基づいて、分割されるコードブロック数Ｃを決定し、
トランスポートブロックのサイズＢが（Ｋmax−Ｌ）又はコードブロック数Ｃで割れ切れることができれば、それぞれのコードブロックの情報パケット長はいずれもＢ／Ｃであり、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分け、
前記第１のタイプのコードブロックのコードブロック情報パケット長ＫIは、エンコーダがサポートする情報パケット長の集合{Ｋ}interleaverのうち、コードブロック数Ｃに前記第１のタイプのコードブロックのコードブロック情報パケット長ＫIを乗じたものがトランスポートブロックのサイズＢ以上であることを満たすＫの最小値であり、
前記第２のタイプのコードブロックのコードブロック情報パケット長ＫIIは、エンコーダがサポートする情報パケット長の集合{Ｋ}interleaverのうち、前記第２のタイプのコードブロックのコードブロック情報パケット長ＫIIが前記第１のタイプのコードブロックのコードブロック情報パケット長ＫIよりも小さいことを満たすＫの最大値であり、
決定したそれぞれのコードブロックの情報パケット長に基づいて、コードブロックの分割を行う、
請求項３２に記載の装置。
【請求項３５】
前記分割ユニットは、
トランスポートブロックのサイズＢ、符号化ブロックＣＲＣの長さＬ、及び最大の情報パケット長Ｋmaxに基づいて、分割されるコードブロック数Ｃを決定し、
トランスポートブロックのサイズＢが（Ｋmax−Ｌ）又はコードブロック数Ｃで割れ切れることができれば、それぞれのコードブロックの情報パケット長はいずれもＢ／Ｃであり、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分け、
式
2018516477.tif 000101
から前記第１のタイプのコードブロックのコードブロック情報パケット長ＫIを算出し、
式
2018516477.tif 000102
から前記第２のタイプのコードブロックのコードブロック情報パケット長ＫIIを算出し、
前記第１のタイプのコードブロック数ＣI及び前記第２のタイプのコードブロックＣIIは、
2018516477.tif 000103
、
2018516477.tif 000104
を満たし、
決定したそれぞれのコードブロックの情報パケット長に基づいて、コードブロックの分割を行う、
請求項３２に記載の装置。
【請求項３６】
分割ユニットでのコードブロックの分割が終了した後、前ＣII個のコードブロックを前記第２のタイプのコードブロックとし、後ＣI個のコードブロックを前記第１のタイプのコードブロックとする設定ユニットをさらに備える、
請求項３５に記載の装置。
【請求項３７】
分割後のそれぞれのコードブロックに対してＣＲＣを付加し、チャネルコーディング及びレートマッチングを行った後、対応する符号化済みコードブロックを得、得られた符号化済みコードブロックのコードブロック結合を行う結合ユニットをさらに備える、
請求項２１に記載の装置。
【請求項３８】
分割された２つ以上のコードブロックをパケット符号化し、チェックデータブロックを生成するチェックユニットをさらに備える、
請求項３７に記載の装置。
【請求項３９】
それぞれの前記符号化済みコードブロックにおける任意位置の一部のビット、及びパケット符号化で生成したそれぞれのチェックデータブロックにおける任意位置の前記一部のビットを削除する削除ユニットをさらに備え、
前記一部のビットは、
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になるステップによって算出される、
請求項３８に記載の装置。
【請求項４０】
一部のビットが削除された前記符号化済みコードブロックと、一部のビットが削除された前記パケット符号化で生成したチェックデータブロックとをコードブロック結合するチェック結合ユニットをさらに備え、
前記コードブロック結合とは、一部のビットが削除された前記符号化済みコードブロックと一部のビットが削除された前記パケット符号化で生成したチェックデータブロックとのビットを縦列連接するとともに、一部のビットが削除された前記パケット符号化で生成したチェックデータブロックを、一部のビットが削除された前記符号化済みコードブロックより後に置くことである、
請求項３９に記載の装置。
【発明の詳細な説明】
【技術分野】
【０００１】
本発明は通信符号化技術に関するが、これには限定されず、特に、コードブロックの分割を実現する方法及び装置に関する。
【背景技術】
【０００２】
図１は、関連技術におけるデジタル通信システムの構造ブロック図であり、図１に示されるように、デジタル通信システムは送信側と受信側とを備え、送信側と受信側とがチャネルを介して通信する。一般、送信側は、主として、情報源、ソースエンコーダ、チャネルエンコーダ及び変調器を含み、受信側は、主として、復調器、チャネルデコーダ、ソースデコーダ及びシンクを含む。チャネルエンコーダは、主として、受信側のチャネルデコーダが一定の程度で、情報がチャネルで伝送される時に発生した誤りを訂正できるように、一定の規則に従って情報ビットに冗長情報を導入する機能を担う。
【０００３】
ベースバンド処理は、無線インターネット技術において重要な役割を果たし、物理チャネルマッピングまでのベースバンド処理は、主として、チャネルエンコーダにおいてチャネルコーディングチェーンを処理することである。図２は、関連技術におけるチャネルコーディングチェーンの処理のフローチャートであり、図２に示されるように、チャネルコーディングチェーンの処理は、入力されたトランスポートブロックのコードブロックの分割を行い、即ち、チャネルエンコーダに入ったトランスポートブロックを、最大の符号化ブロックのサイズに従って符号化ブロックに分割し、トランスポートブロックはチャネルコーディングチェーンの基本の入力であり、一般的には、１つのトランスポートブロックのデータは、符号化変調方式が大体同じである。そして、得られた複数の符号化ブロックに対して巡回冗長検査符号（Cyclic Redundancy Ｃheck、単にＣＲＣという）、チャネルコーディング（coding）、レートマッチング、変調、物理チャネルマッピング等の操作を付加する。
【０００４】
図３は、関連技術におけるコードブロックの分割を示す図であり、図３に示されるように、チャネルエンコーダで符号化する場合、トランスポートブロックの情報ビットを一定の長さの符号化ブロックに分割して符号化し、図３において、トランスポートブロックをコードブロック１、コードブロック２、及びコードブロック３という３つのコードブロックに分割する。一般的には、符号化ブロックが大きいほど、誤り訂正性能が優れている。一方、コードブロックが大きくなると、符号化／復号の複雑度が増加し、復号遅延時間が増加するため、チャネルエンコーダを設計する時に、最大のコードブロックのサイズを制限する必要があり、即ち、最大のコードブロックの最大値を設定する必要がある。チャネルコーディングでは、許可される最大のコードブロックのサイズが制約されており、１つのトランスポートブロックは、複数のコードブロックに分割されていなければ、チャネルコーディングを行われることができない。現在、トランスポートブロックを複数のコードブロックに分割する過程（即ち、コードブロックの分割技術）において、１つのトランスポートブロックをサイズがほぼ同じである複数のコードブロックに分割する必要がある。例えば、第三世代協力パートナーシッププロジェクト（３ＧＰＰ）の長期的進化（Long Term Evolution、単にＬＴＥという）及びＬＴＥの拡張（ＬＴＥ−Ａ）システムにおいて、コードブロックの分割は、６１４４ビットを単位とした分割であり、トランスポートブロック（ＣＲＣを含む）の長さが６１４４ビットを超えていれば、１つのトランスポートブロックは複数のコードブロックに分割される。また、符号化ブロック及びＣＲＣは、長さが、ターボ符号（Ｔｕｒｂｏ）チャネルエンコーダがサポートする符号長の範囲内のものでなければならず、チャネルエンコーダがサポートする符号長の範囲外のコードブロックは、直接符号化されることができないため、これらのコードブロックに対してさらにスタッフビットを付加する必要がある。
【０００５】
ＬＴＥ及びＬＴＥ−Ａシステムは、直交周波数分割多重技術（Orthogonal FrequencyDivision Multiplexing、単にＯＦＤＭという）に基づくシステムであり、ＯＦＤＭシステムにおいて、リソースブロックと略称される物理時間周波数リソースブロック（Resource Block、単にＲＢという）は、時間上連続する複数のＯＦＤＭシンボル及び周波数上連続する複数のサブキャリアからなる時間周波数二次元ユニットである。図４は、ＯＦＤＭシステムにおける時間長が１つのタイムスロットであるリソースブロックを示す図であり、図４に示されるように、１つのリソースブロックは周波数領域において１２個のサブキャリアを占有する。ＬＴＥ及びＬＴＥ−Ａにおいて、リソース割り当て用の基本的な時間粒状度は、１つのサブフレーム（subframe）の整数倍であり、周波数領域粒状度は１つのＲＢ（即ち、１２サブキャリア）の整数倍であり、図４のＲＢ構造において、１つのタイムスロットは７つの連続するＯＦＤＭシンボルを含み、１つのサブフレームは２つのタイムスロットを含み、即ち、１４個の連続するＯＦＤＭシンボルを含む。また、図４におけるそれぞれの小さい四角形は、１つのリソースエレメント（Resource Element、単にＲＥという）を表し、１つのタイムスロット内の１つのＲＢ上に１２＊７＝８４個のＲＥがある。それぞれのタイムスロットの長さが０．５ミリ秒である場合、２つの連続するタイムスロットで１つのサブフレーム（Subframe）が構成されるため、それぞれのサブフレームの長さが１ミリ秒である。１つのトランスポートブロックが時間領域において少なくとも１つのサブフレームを占用するため、１つのトランスポートブロックが時間領域において複数のＯＦＤＭシンボルを占用する。制御チャネル（例えば、ＰＤＣＣチャネル）も一部のＯＦＤＭシンボルを占用することを考慮し、１つのトランスポートブロックが実際に占用するＯＦＤＭシンボルの数は、１４個未満であるが、通常１０個を超えている。
【０００６】
図５は、関連技術のＬＴＥシステムにおける物理チャネルマッピング方法を示す図であり、図５に示されるように、ＯＦＤＭシステムにおいて、情報伝送は通常、１つのトランスポートブロック（Transfer Block、単にＴＢ）を単位とし、１つのＴＢには、通常、１つ又は複数のコードブロックが含まれ、それぞれのコードブロックは符号化及びレートマッチングが施された後、１つの符号化済みコードブロックを生成し、それぞれの符号化済みコードブロックは変調された後、１つのシンボルストリームを生成し、即ち、１つのトランスポートブロックは、複数のシンボルストリーム：Ｊ1，Ｊ2，・・・，Ｊnに対応することができる。ＬＴＥ及びＬＴＥ−Ａにおいて、１つのトランスポートブロックが多くとも４レイヤを占用し、且つそれぞれのレイヤにおいて同じ時間周波数リソースエリアを占用する。トランスポート層は、ＬＴＥ及びＬＴＥ−Ａにおけるマルチアンテナ「レイヤ」の概念であり、空間多重化における有効な独立したチャネルの数を示し、「レイヤ」は時間及び周波数以外の次元を表す。
【０００７】
ＬＴＥ及びＬＴＥ−Ａにおいて、データ伝送について９つの異なる伝送モードが定義され、異なる伝送モードがそれぞれ、シングルアンテナ伝送、アンテナダイバーシティ、ビームフォーミング及び空間多重化等による伝送に対応し、異なる伝送モードにおいて、送信側は異なる送信ポリシーやパラメータを使用する。下り制御情報フォーマット（ＤＣＩ  ｆｏｒｍａｔ）は、伝送モードに関わる指令語である。ＤＣＩは、下りスケジューリング割り当て及び上りスケジューリング要求に関するシグナリング、物理チャネルリソース割り当て情報、伝送フォーマット（例えば、レート、変調次数等）、空間多重化（例えば、プリコーディングマトリクス、空間レイヤ数等）、ハイブリッド自動再送要求（ＨＡＲＱ）に関する情報、及びパワー制御に関する情報を含む。ＤＣＩは、一般的には、下り物理制御チャネル（ＰＤＣＣＨ）で伝送される。
【０００８】
無線ネットワーク一時識別子（Radio Network TemporaryIdentifier、単にＲＮＴＩという）は、ＬＴＥにおいて、その機能によって複数種のＲＮＴＩに分けられ、それぞれのＵＥは同時に複数のＲＮＴＩに対応することができる。ＲＮＴＩでＰＤＣＣＨ制御メッセージをスクランブルすることにより、システムブロードキャスト、特定のユーザスケジューリング等の機能を実現する。
【０００９】
パケット符号化は、データパケット間の符号化技術であり、即ち、複数のソースデータパケットを符号化してチェックデータパケットを生成する過程である。ソースデータパケットにおける対応する位置上の情報系列から、チェックデータパケットにおける対応する位置上の検査系列を生成する過程がパケット符号化である。それぞれのチェックデータパケットごとに、それぞれの検査系列における対応する位置上のデータが含まれる。パケット符号化の方法は様々であり、例えば、それぞれのソースデータパケットに対してＸＯＲ演算、リードソロモン符号、ファウンテンコード、ネットワーク符号を実行することによりチェックデータパケットを生成することができ、パケット符号化によりそれぞれのデータパケット間の符号化制限が増加されるため、より優れた伝送性能を提供できる。
【００１０】
コードブロックの分割は、チャネルコーディングチェーン処理プロセスにおける不可欠な処理過程であるが、しかし、コードブロックの分割は応用される中、遅延時間に十分に配慮しておらず、同様に、３ＧＰＰ  ＬＴＥのコードブロックの分割方法を例に説明するが、コードブロックの分割後、それぞれのコードブロックの長さは、一般、３０００ビット乃至６１２０ビットであり、帯域幅が小さい場合、それぞれのコードブロックが時間領域において、連続する複数のＯＦＤＭシンボルを占用し、受信側は、これらのＯＦＤＭシンボルを受信し切っていなければ、コードブロックを復号することができず、システムが遅延時間に敏感であれば（例えば、Internet of Vehicles）、コードブロックの分割後のデータを復号すると、システムに許容されない遅延時間が発生する傾向があり、このため、関連技術のコードブロックの分割技術は、遅延時間要求が高いシステムにとって、システムの動作を妨害するものとなる。
【発明の概要】
【発明が解決しようとする課題】
【００１１】
以下は、本発明を詳しく説明する主題の概要である。本概要は請求項の保護範囲を限定することは意図していない。
【００１２】
本発明の実施例は、コードブロックの分割を行うとともに、コードブロックの復号に起因するシステムの遅延時間が発生しないように保証することができるコードブロックの分割を実現する方法及び装置を提供する。
【課題を解決するための手段】
【００１３】
本発明の実施例によれば、
取得した分割関連パラメータに基づいて、コードブロックの参照情報パケット長を決定することと、
前記参照情報パケット長及びハードウェアパラメータに基づいて、最大の情報パケット長を決定することと、
取得した分割関連パラメータ、ハードウェアパラメータ、及び決定した最大の情報パケット長に基づいて、最大の情報パケット長を超えたトランスポートブロックを２つ以上のコードブロックに分割することと、を含み、
前記コードブロックの分割後の情報長さが、前記決定した最大の情報パケット長よりも小さい
コードブロックの分割を実現する方法が提供される。
【００１４】
オプションとして、分割関連パラメータは、物理チャネルリソースパラメータ、及び／又はスペクトル効率パラメータを少なくとも含んでもよい。
【００１５】
オプションとして、スペクトル効率パラメータは、伝送信号の変調方式Ｍ、トランスポートブロックの伝送レートＲ、及び伝送信号が占用する空間レイヤ数Ｎlayerのうちの１つ又は複数のパラメータを少なくとも含み、
物理チャネルリソースパラメータは、すべてのコードブロックが時間領域において占用することが許可される最大の直交周波数分割多重技術ＯＦＤＭシンボルの数Ｎｃｂ及び伝送信号が占用する周波数領域におけるサブキャリアの数Ｎsubcarrierを少なくとも含み、
前記参照情報パケット長を決定することは、
前記物理チャネルリソースパラメータ及び前記スペクトル効率パラメータに基づいてコードブロックの参照情報パケット長ＫRを決定することを含むようにしてもよい。
【００１６】
オプションとして、コードブロックの参照情報パケット長ＫRは、式
2018516477.tif 000003
によって取得され、
前記伝送信号が占用する周波数領域におけるサブキャリアの数Ｎsubcarrierは、伝送信号が占用するリソースブロックの数ＮRBとそれぞれのリソースブロックに含まれるサブキャリアの数ＮSPとの積に等しいようにしてもよい。
【００１７】
オプションとして、物理チャネルリソースパラメータは、トランスポートブロックが占用する時間領域におけるＯＦＤＭシンボルの数Ｎｔｂ及びそれぞれのコードブロックが時間領域において占用することが許可される最大のＯＦＤＭシンボルの数Ｎcbを少なくとも含み、前記分割関連パラメータは、トランスポートブロックのサイズＢ、符号化ブロックＣＲＣの長さＬをさらに含み、
前記コードブロックの参照情報パケット長ＫRを決定することは、
トランスポートブロックのサイズＢ、符号化ブロックＣＲＣの長さＬ及び物理チャネルリソースパラメータによってコードブロックの参照情報パケット長ＫRを決定することを含むようにしてもよい。
【００１８】
オプションとして、コードブロックの参照情報パケット長ＫRは、式
2018516477.tif 000004
によって取得されてもよい。
【００１９】
オプションとして、分割関連パラメータは、ハードウェアパラメータをさらに含み、前記ハードウェアパラメータは、端末のキャッシュサイズを示すことができる品種別パラメータユーザ機器カテゴリーＵＥ  Ｃａｔｅｇｏｒｙであり、
前記物理チャネルリソースパラメータは、トランスポートブロックが占用する時間領域におけるＯＦＤＭシンボルの数Ｎtb、それぞれのコードブロックが時間領域において占用することが許可される最大のＯＦＤＭシンボルの数Ｎcbを少なくとも含み、
前記コードブロックの参照情報パケット長ＫRを決定することは、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得することと、
トランスポートブロックが占用する時間領域におけるＯＦＤＭシンボルの数Ｎtb、それぞれのコードブロックが時間領域において占用することが許可される最大のＯＦＤＭシンボルの数Ｎcbに基づいて、前記トランスポートブロック中に含まれる最小のコードブロック数ＣＢnumである、
2018516477.tif 000005
を取得することと、
式
2018516477.tif 000006
によって参照情報パケット長ＫRを取得することと、を含み、
ただし、
2018516477.tif 000007
は、Ｘを切り上げることを示すようにしてもよい。
【００２０】
オプションとして、前記ハードウェアパラメータは、エンコーダがサポートする最大の情報パケット長Ｋencoder、及び／又はエンコーダがサポートする情報パケット長の集合{Ｋ}interleaverであり、
トランスポートブロックの符号化方式が畳み込み符号であれば、前記最大の情報パケット長Ｋmaxが
2018516477.tif 000008
として決定され、
トランスポートブロックの符号化方式がＴｕｒｂｏ符号であれば、
参照情報パケット長ＫRが、前記エンコーダがサポートする最大の情報パケット長Ｋencoderよりも小さい場合、エンコーダがサポートする情報パケット長の集合{Ｋ}interleaverから、コードブロックの参照情報パケット長ＫR以上であり且つＫRに最も近い情報パケット長を選んでコードブロックの最大の情報パケット長Ｋmaxとし、
前記参照情報パケット長ＫRが、前記エンコーダがサポートする最大の情報パケット長Ｋencoder以上である場合、前記エンコーダがサポートする最大の情報パケット長Ｋencoderを選んでコードブロックの最大の情報パケット長Ｋmaxとするように、前記最大の情報パケット長Ｋmaxが決定され、
ただし、関数ｍｉｎ（）は、最小値を取ることを示すようにしてもよい。
【００２１】
オプションとして、トランスポートブロックの符号化方式がＴｕｒｂｏ符号であれば、前記最大の情報パケット長Ｋmaxは、式
2018516477.tif 000009
によって取得され、
2018516477.tif 000010
は、Ｆ（Ｘ）が最小値を取得することを示すようにしてもよい。
【００２２】
オプションとして、分割関連パラメータ及び／又はハードウェアパラメータは、伝送モード指示、下り制御情報フォーマットＤＣＩ  ｆｏｒｍａｔ及び無線ネットワーク一時識別子ＲＮＴＩのうち任意の１つ又は複数の方式によって取得されてもよい。
【００２３】
オプションとして、該方法は、
伝送モード指示、下り制御情報フォーマットＤＣＩ  ｆｏｒｍａｔ、又は無線ネットワーク一時識別子ＲＮＴＩで直接指示することにより、前記最大の情報パケット長Ｋmaxを取得すること、をさらに含んでもよい。
【００２４】
オプションとして、前記分割関連パラメータは、トランスポートブロックのサイズＢ、符号化ブロックＣＲＣの長さＬをさらに含み、
前記ハードウェアパラメータは、エンコーダがサポートする情報パケット長の集合{Ｋ}interleaverを少なくとも含み、
前記コードブロックの分割は、
トランスポートブロックのサイズＢ、符号化ブロックＣＲＣの長さＬ、及び前記最大の情報パケット長Ｋmaxに基づいて、分割されるコードブロック数Ｃを決定することと、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定することと、
決定したそれぞれのコードブロックの情報パケット長に基づいて、コードブロックの分割を行うことと、を含むようにしてもよい。
【００２５】
オプションとして、前記分割されるコードブロック数Ｃが、
2018516477.tif 000011
として決定され、
ただし、
2018516477.tif 000012
は、ｘを切り上げることを示すようにしてもよい。
【００２６】
オプションとして、それぞれのコードブロックの情報パケット長を決定することは、
トランスポートブロックのサイズＢが（Ｋmax−Ｌ）又はコードブロック数Ｃで割れ切れることができれば、それぞれのコードブロックの情報パケット長はいずれもＢ／Ｃであることと、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分けることと、を含み、
第１のタイプのコードブロックのコードブロック情報パケット長ＫIは、エンコーダがサポートする情報パケット長の集合{Ｋ}interleaverのうち、コードブロック数Ｃに第１のタイプのコードブロックのコードブロック情報パケット長ＫIを乗じたものがトランスポートブロックのサイズＢ以上であることを満たすＫの最小値であり、
第２のタイプのコードブロックのコードブロック情報パケット長ＫIIは、エンコーダがサポートする情報パケット長の集合{Ｋ}interleaverのうち、第２のタイプのコードブロックのコードブロック情報パケット長ＫIIが第１のタイプのコードブロックのコードブロック情報パケット長ＫIよりも小さいことを満たすＫの最大値であるようにしてもよい。
【００２７】
オプションとして、第１のタイプのコードブロックのコードブロック情報パケット長ＫIは、
2018516477.tif 000013
であり、
第２のタイプのコードブロックのコードブロック情報パケット長ＫIIは、
2018516477.tif 000014
であり、
第１のタイプのコードブロック数ＣI及び第２のタイプのコードブロックＣIIは、
2018516477.tif 000015
、
2018516477.tif 000016
、を満たし、
ただし、
2018516477.tif 000017
は、ｘを切り下げることを示すようにしてもよい。
【００２８】
オプションとして、該方法は、コードブロックの分割が終了した後、前ＣII個のコードブロックを前記第２のタイプのコードブロックとし、後ＣI個のコードブロックを前記第１のタイプのコードブロックとすること、をさらに含んでもよい。
【００２９】
オプションとして、該方法は、
分割後のそれぞれのコードブロックに対してＣＲＣを付加し、チャネルコーディング及びレートマッチングを行った後、対応する符号化済みコードブロックを得、得られた符号化済みコードブロックのコードブロック結合を行うこと、をさらに含んでもよい。
【００３０】
オプションとして、該方法は、
分割された２つ以上のコードブロックをパケット符号化し、チェックデータブロックを生成すること、をさらに含んでもよい。
【００３１】
オプションとして、該方法は、
それぞれの前記符号化済みコードブロックにおける任意位置の一部のビット、及びパケット符号化で生成したそれぞれの前記チェックデータブロックにおける任意位置の前記一部のビットを削除すること、をさらに含み、
前記一部のビットのサイズの算出は、
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になるステップによって行われるようにしてもよい。
【００３２】
オプションとして、該方法は、
一部のビットが削除された前記符号化済みコードブロックと、一部のビットが削除された前記パケット符号化で生成したチェックデータブロックとをコードブロック結合すること、をさらに含み、
前記コードブロック結合とは、一部のビットが削除された前記符号化済みコードブロックと一部のビットが削除された前記パケット符号化で生成したチェックデータブロックとのビットを縦列連接するとともに、一部のビットが削除された前記パケット符号化で生成したチェックデータブロックを、一部のビットが削除された前記符号化済みコードブロックより後に置くことであるようにしてもよい。
【００３３】
一方、本願によれば、
取得した分割関連パラメータに基づいて、コードブロックの参照情報パケット長を決定する参照ユニットと、
参照情報パケット長及びハードウェアパラメータに基づいて、最大の情報パケット長を決定する決定ユニットと、
取得した分割関連パラメータ、ハードウェアパラメータ、及び決定した最大の情報パケット長に基づいて、最大の情報パケット長を超えたトランスポートブロックを２つ以上のコードブロックに分割する分割ユニットと、を備え、
前記コードブロックの分割後の情報長さが、前記決定した最大の情報パケット長よりも小さい
コードブロックの分割を実現する装置がさらに提供される。
【００３４】
オプションとして、参照ユニットは、
取得した物理チャネルリソースパラメータ、及び／又はスペクトル効率パラメータに基づいてコードブロックの参照情報パケット長を決定するようにしてもよい。
【００３５】
オプションとして、参照ユニットは、
伝送信号の変調方式Ｍ、トランスポートブロックの伝送レートＲ、及び伝送信号が占用する空間レイヤ数Ｎlayerのうちの任意の１つ又は複数のパラメータを含む取得したスペクトル効率パラメータと、すべてのコードブロックが時間領域において占用することが許可される最大のＯＦＤＭシンボルの数Ｎcb及び伝送信号が占用する周波数領域におけるサブキャリアの数Ｎsubcarrierを含む取得した物理チャネルリソースパラメータに基づいて、コードブロックの参照情報パケット長ＫＲを決定するようにしてもよい。
【００３６】
オプションとして、参照ユニットは、
取得した物理チャネルリソースパラメータ、及び／又はスペクトル効率パラメータに基づいて、式
2018516477.tif 000018
によって前記コードブロックの参照情報パケット長ＫRを算出するようにしてもよい。
【００３７】
オプションとして、参照ユニットは、さらに、
トランスポートブロックのサイズＢ、符号化ブロックＣＲＣの長さＬを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを含む取得した物理チャネルリソースパラメータに基づいて、コードブロックの参照情報パケット長ＫRを決定するようにしてもよい。
【００３８】
オプションとして、参照ユニットは、さらに、
トランスポートブロックのサイズＢ、符号化ブロックＣＲＣの長さＬを取得し、取得した物理チャネルリソースパラメータに基づいて、式
2018516477.tif 000019
によってコードブロックの参照情報パケット長ＫRを決定するようにしてもよい。
【００３９】
オプションとして、参照ユニットは、さらに、
端末のキャッシュサイズを示すことができる品種別パラメータＵＥ  Ｃａｔｅｇｏｒｙを少なくとも含むハードウェアパラメータを取得し、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを含む取得した物理チャネルリソースパラメータに基づいて、前記トランスポートブロック中に含まれる最小のコードブロック数ＣＢnumである、
2018516477.tif 000020
を取得し、
式
2018516477.tif 000021
によって参照情報パケット長ＫＲを取得するようにしてもよい。
【００４０】
オプションとして、ハードウェアパラメータは、エンコーダがサポートする最大の情報パケット長Ｋencoder、及び／又はエンコーダがサポートする情報パケット長の集合{Ｋ}interleaverであり、
決定ユニットが参照情報パケット長及びハードウェアパラメータに基づいて、最大の情報パケット長を決定することは、以下のように行われ、
トランスポートブロックの符号化方式が畳み込み符号であれば、前記最大の情報パケット長Ｋmaxが
2018516477.tif 000022
として決定され、
トランスポートブロックの符号化方式がＴｕｒｂｏ符号であれば、
参照情報パケット長ＫRが、前記エンコーダがサポートする最大の情報パケット長Ｋencoderよりも小さい場合、エンコーダがサポートする情報パケット長の集合{Ｋ}interleaverから、コードブロックの参照情報パケット長ＫR以上であり且つＫRに最も近い情報パケット長を選んでコードブロックの最大の情報パケット長Ｋmaxとし、
前記参照情報パケット長ＫRが、前記エンコーダがサポートする最大の情報パケット長Ｋencoder以上である場合、前記エンコーダがサポートする最大の情報パケット長Ｋencoderを選んでコードブロックの最大の情報パケット長Ｋmaxとするように、前記最大の情報パケット長Ｋmaxが決定され、
ただし、関数ｍｉｎ（）は、最小値を取ることを示すようにしてもよい。
【００４１】
オプションとして、ハードウェアパラメータは、エンコーダがサポートする最大の情報パケット長Ｋencoder、及び／又はエンコーダがサポートする情報パケット長の集合{Ｋ}interleaverであり、
前記決定ユニットが参照情報パケット長及びハードウェアパラメータに基づいて、最大の情報パケット長を決定することは、以下のように行われ、
トランスポートブロックの符号化方式が畳み込み符号であれば、前記最大の情報パケット長Ｋmaxが
2018516477.tif 000023
として決定され、
トランスポートブロックの符号化方式がＴｕｒｂｏ符号であれば、前記最大の情報パケット長Ｋmaxが
2018516477.tif 000024
として決定されるようにしてもよい。
【００４２】
オプションとして、該装置は、伝送モード指示、下り制御情報フォーマットＤＣＩ  ｆｏｒｍａｔ、及び無線ネットワーク一時識別子ＲＮＴＩのうちの任意の１つ又は複数の方式によって、前記分割関連パラメータ及び／又はハードウェアパラメータを取得する取得ユニットをさらに備えてもよい。
【００４３】
オプションとして、該装置は、伝送モード指示、ＤＣＩ  ｆｏｒｍａｔ、及びＲＮＴＩで直接指示する方式のうちの任意の１つ又は複数の方式によって、前記最大の情報パケット長Ｋmaxを取得する指示ユニットをさらに備えてもよい。
【００４４】
オプションとして、分割関連パラメータは、トランスポートブロックのサイズＢ、符号化ブロックＣＲＣの長さＬをさらに含み、
前記ハードウェアパラメータは、エンコーダがサポートする情報パケット長の集合{Ｋ}interleaverを少なくとも含み、
前記分割ユニットは、
トランスポートブロックのサイズＢ、符号化ブロックＣＲＣの長さＬ、及び最大の情報パケット長Ｋmaxに基づいて、分割されるコードブロック数Ｃを決定し、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定し、
決定したそれぞれのコードブロックの情報パケット長に基づいて、コードブロックの分割を行うようにしてもよい。
【００４５】
オプションとして、分割ユニットは、
式
2018516477.tif 000025
によって、分割されるコードブロック数Ｃを決定し、ただし、
2018516477.tif 000026
は、ｘを切り上げることを示し、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定し、
決定したそれぞれのコードブロックの情報パケット長に基づいて、コードブロックの分割を行うようにしてもよい。
【００４６】
オプションとして、分割ユニットは、
トランスポートブロックのサイズＢ、符号化ブロックＣＲＣの長さＬ、及び最大の情報パケット長Ｋmaxに基づいて、分割されるコードブロック数Ｃを決定し、
トランスポートブロックのサイズＢが（Ｋmax−Ｌ）又はコードブロック数Ｃで割れ切れることができれば、それぞれのコードブロックの情報パケット長はいずれもＢ／Ｃであり、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分け、
第１のタイプのコードブロックのコードブロック情報パケット長ＫIは、エンコーダがサポートする情報パケット長の集合{Ｋ}interleaverのうち、コードブロック数Ｃに第１のタイプのコードブロックのコードブロック情報パケット長ＫIを乗じたものがトランスポートブロックのサイズＢ以上であることを満たすＫの最小値であり、
第２のタイプのコードブロックのコードブロック情報パケット長ＫIIは、エンコーダがサポートする情報パケット長の集合{Ｋ}interleaverのうち、第２のタイプのコードブロックのコードブロック情報パケット長ＫIIが第１のタイプのコードブロックのコードブロック情報パケット長ＫIよりも小さいことを満たすＫの最大値であり、
決定したそれぞれのコードブロックの情報パケット長に基づいて、コードブロックの分割を行うようにしてもよい。
【００４７】
オプションとして、分割ユニットは、
トランスポートブロックのサイズＢ、符号化ブロックＣＲＣの長さＬ、及び最大の情報パケット長Ｋmaxに基づいて、分割されるコードブロック数Ｃを決定し、
トランスポートブロックのサイズＢが（Ｋmax−Ｌ）又はコードブロック数Ｃで割れ切れることができれば、それぞれのコードブロックの情報パケット長はいずれもＢ／Ｃであり、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分け、
式
2018516477.tif 000027
から第１のタイプのコードブロックのコードブロック情報パケット長ＫIを算出し、
式
2018516477.tif 000028
から第２のタイプのコードブロックのコードブロック情報パケット長ＫIIを算出し、
第１のタイプのコードブロック数ＣI及び第２のタイプのコードブロックＣIIは、
2018516477.tif 000029
、
2018516477.tif 000030
を満たし、
決定したそれぞれのコードブロックの情報パケット長に基づいて、コードブロックの分割を行うようにしてもよい。
【００４８】
オプションとして、該装置は、分割ユニットでのコードブロックの分割が終了した後、前ＣII個のコードブロックを第２のタイプのコードブロックとし、後ＣI個のコードブロックを第１のタイプのコードブロックとする設定ユニットをさらに備えてもよい。
【００４９】
オプションとして、該装置は、分割後のそれぞれのコードブロックに対してＣＲＣを付加し、チャネルコーディング及びレートマッチングを行った後、対応する符号化済みコードブロックを得、得られた符号化済みコードブロックのコードブロック結合を行う結合ユニットをさらに備えてもよい。
【００５０】
オプションとして、該装置は、分割された２つ以上のコードブロックをパケット符号化し、チェックデータブロックを生成するチェックユニットをさらに備えようにしてもよい。
【００５１】
オプションとして、該装置は、
それぞれの前記符号化済みコードブロックにおける任意位置の一部のビット、及びパケット符号化で生成したそれぞれの前記チェックデータブロックにおける任意位置の前記一部のビットを削除する削除ユニットをさらに備え、
前記一部のビットは、
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になるステップによって算出されるようにしてもよい。
【００５２】
オプションとして、該装置は、一部のビットが削除された前記符号化済みコードブロックと、一部のビットが削除された前記パケット符号化で生成したチェックデータブロックとをコードブロック結合するチェック結合ユニットをさらに備え、
コードブロック結合とは、一部のビットが削除された前記符号化済みコードブロックと一部のビットが削除された前記パケット符号化で生成したチェックデータブロックとのビットを縦列連接するとともに、一部のビットが削除された前記パケット符号化で生成したチェックデータブロックを、一部のビットが削除された前記符号化済みコードブロックより後に置くことであるようにしてもよい。
【発明の効果】
【００５３】
関連技術に比べ、本願の技術案によれば、取得した分割関連パラメータに基づいて、コードブロックの参照情報パケット長を決定することと、参照情報パケット長及びハードウェアパラメータに基づいて、最大の情報パケット長を決定することと、取得した分割関連パラメータ、ハードウェアパラメータ、及び決定した最大の情報パケット長に基づいて、最大の情報パケット長を超えたトランスポートブロックを２つ以上のコードブロックに分割することと、を含み、コードブロックの分割後の情報長さが、前記決定した最大の情報パケット長よりも小さい。本発明の実施例の方法は、取得した分割関連パラメータに基づいて、分割されるコードブロックの最大の情報パケット長を決定し、それぞれのコードブロックがいずれも決定した最大の情報パケット長よりも小さくなるようにトランスポートブロックのコードブロックの分割を行うことにより、コードブロックの分割に起因するシステムの遅延時間を低減し、コードブロックの分割で発生した遅延時間によってシステムの動作が妨害されることを回避し、システムの性能を向上させる。
【００５４】
図面及び詳細な説明を読んで理解したうえで、他の態様を理解することができる。
【図面の簡単な説明】
【００５５】
【図１】関連技術におけるデジタル通信システムの構造ブロック図である。
【図２】関連技術におけるチャネルコーディングチェーンの処理のフローチャートである。
【図３】関連技術におけるコードブロックの分割を示す図である。
【図４】ＯＦＤＭシステムにおける時間長が１つのタイムスロットであるリソースブロックを示す図である。
【図５】関連技術のＬＴＥシステムにおける物理チャネルマッピング方法を示す図である。
【図６】本発明の実施例のコードブロックの分割を実現する方法のフローチャートである。
【図７】本発明の実施例のコードブロックの分割を実現する装置の構造ブロック図である。
【図８】本発明の実施例１のコードブロックの分割を示す図である。
【図９】本発明の実施例２のコードブロックの分割を示す図である。
【図１０】本発明の実施例９のコードブロックの分割を示す図である。
【発明を実施するための形態】
【００５６】
以下、図面を結合して本発明の実施例を詳しく説明する。なお、衝突しない限り、本願の実施例及び実施例中の構成要件を任意に組み合わせることができる。
【００５７】
図６は、本発明の実施例のコードブロックの分割を実現する方法のフローチャートであり、図６に示されるように、以下のステップを含む。
【００５８】
ステップ６００：取得した分割関連パラメータに基づいて、コードブロックの参照情報パケット長を決定する。
【００５９】
このステップにおいて、分割関連パラメータは、物理チャネルリソースパラメータ、及び／又はスペクトル効率パラメータを含む。
【００６０】
このステップにおいて、参照情報パケット長の決定方式は以下の方式がある。
【００６１】
方式１
スペクトル効率パラメータは、伝送信号の変調方式Ｍ、トランスポートブロックの伝送レートＲ、及び伝送信号が占用する空間レイヤ数Ｎlayerのうちの１つ又は複数のパラメータを少なくとも含む。
【００６２】
物理チャネルリソースパラメータは、すべてのコードブロックが時間領域において占用することが許可される最大のＯＦＤＭシンボルの数Ｎｃｂ及び伝送信号が占用する周波数領域におけるサブキャリアの数Ｎsubcarrierを少なくとも含む。
【００６３】
参照情報パケット長を決定することは、
前記物理チャネルリソースパラメータ及び前記スペクトル効率パラメータに基づいてコードブロックの参照情報パケット長ＫRを決定することを含む。
【００６４】
オプションとして、コードブロックの参照情報パケット長ＫRは、式
2018516477.tif 000031
によって取得されてもよい。
【００６５】
伝送信号が占用する周波数領域におけるサブキャリアの数Ｎsubcarrierは、伝送信号が占用するリソースブロックの数ＮRBとそれぞれのリソースブロックに含まれるサブキャリアの数ＮSPとの積に等しい。即ち、コードブロックの参照情報パケット長ＫRは、
2018516477.tif 000032
によって算出されることができる。
【００６６】
なお、ＬＴＥ及びＬＴＥ−Ａシステムにおいて、ＮSPの取りうる値は１２である。
【００６７】
方式２
物理チャネルリソースパラメータは、トランスポートブロックが占用する時間領域におけるＯＦＤＭシンボルの数Ｎtb及びそれぞれのコードブロックが時間領域において占用することが許可される最大のＯＦＤＭシンボルの数Ｎcbを少なくとも含み、前記分割関連パラメータは、トランスポートブロックのサイズＢ、符号化ブロックＣＲＣの長さＬをさらに含む。
【００６８】
決定されたコードブロックの参照情報パケット長ＫRは、トランスポートブロックのサイズＢ、符号化ブロックＣＲＣの長さＬ及び物理チャネルリソースパラメータによって決定されたパケット長である。
【００６９】
オプションとして、コードブロックの参照情報パケット長ＫRが
2018516477.tif 000033
として決定されてもよい。
【００７０】
方式３
分割関連パラメータは、ハードウェアパラメータをさらに含み、ハードウェアパラメータは、端末のキャッシュサイズを示すことができる品種別パラメータユーザ機器カテゴリー（ＵＥ  Ｃａｔｅｇｏｒｙ）である。
【００７１】
物理チャネルリソースパラメータは、トランスポートブロックが占用する時間領域におけるＯＦＤＭシンボルの数Ｎtb、それぞれのコードブロックが時間領域において占用することが許可される最大のＯＦＤＭシンボルの数Ｎcbを少なくとも含む。
【００７２】
コードブロックの参照情報パケット長ＫＲを決定することは、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得することと、
トランスポートブロックが占用する時間領域におけるＯＦＤＭシンボルの数Ｎtb、それぞれのコードブロックが時間領域において占用することが許可される最大のＯＦＤＭシンボルの数Ｎcbに基づいて、前記トランスポートブロック中に含まれる最小のコードブロック数ＣＢnumである、
2018516477.tif 000034
を取得することと、
式
2018516477.tif 000035
によって参照情報パケット長ＫRを取得することと、を含む。
【００７３】
このステップにおいて、分割関連パラメータ及び／又はハードウェアパラメータは、伝送モード指示、下り制御情報フォーマット（ＤＣＩ  ｆｏｒｍａｔ）及び無線ネットワーク一時識別子（ＲＮＴＩ）のうち任意の１つ又は複数の方式によって取得される。
【００７４】
ステップ６０１：参照情報パケット長及びハードウェアパラメータに基づいて、最大の情報パケット長を決定する。
【００７５】
このステップにおいて、ハードウェアパラメータは、エンコーダがサポートする最大の情報パケット長Ｋencoder、及び／又はエンコーダがサポートする情報パケット長の集合{Ｋ}interleaverである。
【００７６】
トランスポートブロックの符号化方式が畳み込み符号であれば、前記最大の情報パケット長Ｋmaxが
2018516477.tif 000036
として決定される。
【００７７】
トランスポートブロックの符号化方式がＴｕｒｂｏ符号であれば、
参照情報パケット長ＫRが、エンコーダがサポートする最大の情報パケット長Ｋencoderよりも小さい場合、エンコーダがサポートする情報パケット長の集合{Ｋ}interleaverから、コードブロックの参照情報パケット長ＫR以上であり且つＫRに最も近い情報パケット長を選んでコードブロックの最大の情報パケット長Ｋmaxとし、
参照情報パケット長ＫRが、前記エンコーダがサポートする最大の情報パケット長Ｋencoder以上である場合、前記エンコーダがサポートする最大の情報パケット長Ｋencoderを選んでコードブロックの最大の情報パケット長Ｋmaxとするように、前記最大の情報パケット長Ｋmaxが決定される。
【００７８】
ただし、関数ｍｉｎ（）は、最小値を取ることを示す。
【００７９】
オプションとして、トランスポートブロックの符号化方式がＴｕｒｂｏであれば、最大の情報パケット長Ｋmaxが、
2018516477.tif 000037
として決定される。
【００８０】
本発明の実施例の方法は、
伝送モード指示、ＤＣＩ  ｆｏｒｍａｔ、又はＲＮＴＩで直接指示することにより、前記最大の情報パケット長Ｋmaxを取得すること、をさらに含む。
【００８１】
なお、直接の指示によって取得された最大の情報パケット長Ｋmaxは、主として、システムの要求によって決定された数値に基づいて、例えば、システムの遅延時間要求に基づいて設定された最大の情報パケット長Ｋmaxであり、最大の情報パケット長Ｋmaxを直接指示することで、システムの性能を保証することができる。
【００８２】
ステップ６０２：取得した分割関連パラメータ、ハードウェアパラメータ、及び決定した最大の情報パケット長に基づいて、最大の情報パケット長を超えたトランスポートブロックを２つ以上のコードブロックに分割する。
【００８３】
このステップにおいて、分割関連パラメータは、トランスポートブロックのサイズＢ、符号化ブロックＣＲＣの長さＬをさらに含み、
ハードウェアパラメータは、エンコーダがサポートする情報パケット長の集合{Ｋ}interleaverを少なくとも含み、
コードブロックの分割は、
トランスポートブロックのサイズＢ、符号化ブロックＣＲＣの長さＬ、及び前記最大の情報パケット長Ｋmaxに基づいて、分割されるコードブロック数Ｃを決定することと、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定することと、
決定したそれぞれのコードブロックの情報パケット長に基づいて、コードブロックの分割を行うことと、を含むことができる。
【００８４】
オプションとして、分割されるコードブロック数Ｃが、
2018516477.tif 000038
として決定されてもよい。
【００８５】
ただし、
2018516477.tif 000039
は、ｘを切り上げることを示す。
【００８６】
それぞれのコードブロックの情報パケット長を決定することは、
トランスポートブロックのサイズＢが（Ｋmax−Ｌ）又はコードブロック数Ｃで割れ切れることができれば、それぞれのコードブロックの情報パケット長はいずれもＢ／Ｃであることと、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分けることを含むことができ、
第１のタイプのコードブロックのコードブロック情報パケット長ＫIは、エンコーダがサポートする情報パケット長の集合{Ｋ}interleaverのうち、コードブロック数Ｃに第１のタイプのコードブロックのコードブロック情報パケット長ＫIを乗じたものがトランスポートブロックのサイズＢ以上であることを満たすＫの最小値であり、
第２のタイプのコードブロックのコードブロック情報パケット長ＫIIは、エンコーダがサポートする情報パケット長の集合{Ｋ}interleaverのうち、第２のタイプのコードブロックのコードブロック情報パケット長ＫIIが第１のタイプのコードブロックのコードブロック情報パケット長ＫIよりも小さいことを満たすＫの最大値である。
【００８７】
オプションとして、第１のタイプのコードブロックのコードブロック情報パケット長ＫIは、
2018516477.tif 000040
である。
【００８８】
第２のタイプのコードブロックのコードブロック情報パケット長ＫIIは、
2018516477.tif 000041
である。
【００８９】
第１のタイプのコードブロック数ＣI及び第２のタイプのコードブロックＣIIは、
2018516477.tif 000042
、
2018516477.tif 000043
を満たし、ただし、
2018516477.tif 000044
は、Ｆ（Ｘ）が最小値を取得することを示し、
2018516477.tif 000045
は、ｘを切り下げることを示す。
【００９０】
本発明の実施例の方法は、コードブロックの分割が終了した後、前ＣII個のコードブロックを第２のタイプのコードブロックとし、後ＣI個のコードブロックを第１のタイプのコードブロックとすること、をさらに含む。
【００９１】
本発明の実施例の方法は、
分割後のそれぞれのコードブロックに対してＣＲＣを付加し、チャネルコーディング及びレートマッチングを行った後、対応する符号化済みコードブロックを得、得られた符号化済みコードブロックのコードブロック結合を行うこと、をさらに含む。
【００９２】
本発明の実施例の方法は、
分割された２つ以上のコードブロックをパケット符号化し、チェックデータブロックを生成すること、をさらに含む。
【００９３】
本発明の実施例の方法は、
それぞれの符号化済みコードブロックにおける任意位置の一部のビット、及びパケット符号化で生成したそれぞれのチェックデータブロックにおける任意位置の前記一部のビットを削除すること、をさらに含む。
【００９４】
一部のビットは、以下のステップによって算出される。
【００９５】
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になる。
【００９６】
なお、削除された一部のビットは、符号化済みコードブロック及びチェックデータブロックのチェックデータであることができ、一般、符号化済みコードブロック及びチェックデータブロックの末尾に位置する。
【００９７】
本発明の実施例の方法は、
一部のビットが削除された符号化済みコードブロックと、一部のビットが削除されたパケット符号化で生成したチェックデータブロックとをコードブロック結合すること、をさらに含み、
コードブロック結合とは、一部のビットが削除された符号化済みコードブロックと一部のビットが削除されたパケット符号化で生成したチェックデータブロックとのビットを縦列連接するとともに、一部のビットが削除されたパケット符号化で生成したチェックデータブロックを、一部のビットが削除された符号化済みコードブロックより後に置くことである。
【００９８】
本発明の実施例の方法は、取得した分割関連パラメータに基づいて、分割されるコードブロックの最大の情報パケット長を決定し、それぞれのコードブロックがいずれも決定した最大の情報パケット長よりも小さくなるようにトランスポートブロックのコードブロックの分割を行うことにより、コードブロックの分割に起因するシステムの遅延時間を低減し、コードブロックの分割で発生した遅延時間によってシステムの動作が妨害されることを回避し、システムの性能を向上させる。
【００９９】
図７は、本発明の実施例のコードブロックの分割を実現する装置の構造ブロック図であり、図７に示されるように、参照ユニット、決定ユニット、及び分割ユニットを備え、
参照ユニットは、取得した分割関連パラメータに基づいて、コードブロックの参照情報パケット長を決定する。
【０１００】
参照ユニットは、取得した物理チャネルリソースパラメータ、及び／又はスペクトル効率パラメータに基づいてコードブロックの参照情報パケット長を決定する。
【０１０１】
参照ユニットは、伝送信号の変調方式Ｍ、トランスポートブロックの伝送レートＲ、及び伝送信号が占用する空間レイヤ数Ｎlayerのうちの任意の１つ又は複数のパラメータを含む取得したスペクトル効率パラメータと、すべてのコードブロックが時間領域において占用することが許可される最大のＯＦＤＭシンボルの数Ｎcb及び伝送信号が占用する周波数領域におけるサブキャリアの数Ｎsubcarrierを少なくとも含む取得した物理チャネルリソースパラメータとに基づいて、コードブロックの参照情報パケット長ＫRを決定する。
【０１０２】
参照ユニットは、取得した物理チャネルリソースパラメータ、及び／又はスペクトル効率パラメータに基づいて、式
2018516477.tif 000046
によって前記コードブロックの参照情報パケット長ＫRを算出する。
【０１０３】
参照ユニットは、さらに、
トランスポートブロックのサイズＢ、符号化ブロックＣＲＣの長さＬを取得し、
トランスポートブロックが占用する時間領域におけるＯＦＤＭシンボルの数Ｎtb、それぞれのコードブロックが時間領域において占用することが許可される最大のＯＦＤＭシンボルの数Ｎcbを少なくとも含む、取得した物理チャネルリソースパラメータに基づいて、コードブロックの参照情報パケット長ＫRを決定する。
【０１０４】
参照ユニットは、さらに、トランスポートブロックのサイズＢ、符号化ブロックＣＲＣの長さＬを取得し、取得した物理チャネルリソースパラメータに基づいて、式
2018516477.tif 000047
によってコードブロックの参照情報パケット長ＫRを決定する。
【０１０５】
参照ユニットは、さらに、
端末のキャッシュサイズを示すことができる品種別パラメータＵＥ  Ｃａｔｅｇｏｒｙを少なくとも含むハードウェアパラメータを取得し、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを少なくとも含む、取得した物理チャネルリソースパラメータに基づいて、前記トランスポートブロック中に含まれる最小のコードブロック数ＣＢnumである、
2018516477.tif 000048
を取得し、
式
2018516477.tif 000049
によって参照情報パケット長ＫRを取得する。
【０１０６】
決定ユニットは、参照情報パケット長及びハードウェアパラメータに基づいて、最大の情報パケット長を決定する。
【０１０７】
ハードウェアパラメータは、エンコーダがサポートする最大の情報パケット長Ｋencoder、及び／又はエンコーダがサポートする情報パケット長の集合{Ｋ}interleaverである。
[  
【０１０８】
決定ユニットが参照情報パケット長及びハードウェアパラメータに基づいて、最大の情報パケット長を決定することは、以下のように行われ、
トランスポートブロックの符号化方式が畳み込み符号であれば、前記最大の情報パケット長Ｋmaxが
2018516477.tif 000050
として決定され、
トランスポートブロックの符号化方式がＴｕｒｂｏ符号であれば、
参照情報パケット長ＫRが、エンコーダがサポートする最大の情報パケット長Ｋencoderよりも小さい場合、エンコーダがサポートする情報パケット長の集合{Ｋ}interleaverから、コードブロックの参照情報パケット長ＫR以上であり且つＫRに最も近い情報パケット長を選んでコードブロックの最大の情報パケット長Ｋmaxとし、
前記参照情報パケット長ＫRが、エンコーダがサポートする最大の情報パケット長Ｋencoder以上である場合、エンコーダがサポートする最大の情報パケット長Ｋencoderを選んでコードブロックの最大の情報パケット長Ｋmaxとするように、前記最大の情報パケット長Ｋmaxが決定され、
ただし、関数ｍｉｎ（）は、最小値を取ることを示す。
【０１０９】
ハードウェアパラメータは、エンコーダがサポートする最大の情報パケット長Ｋencoder、及び／又はエンコーダがサポートする情報パケット長の集合{Ｋ}interleaverである。
【０１１０】
決定ユニットが参照情報パケット長及びハードウェアパラメータに基づいて、最大の情報パケット長を決定することは、以下のように行われ、
トランスポートブロックの符号化方式が畳み込み符号であれば、最大の情報パケット長Ｋmaxが
2018516477.tif 000051
として決定され、
トランスポートブロックの符号化方式がＴｕｒｂｏ符号であれば、最大の情報パケット長Ｋmaxが、
2018516477.tif 000052
として決定される。
【０１１１】
本発明の実施例の装置は、取得ユニットをさらに備え、取得ユニットは、伝送モード指示、下り制御情報フォーマット（ＤＣＩ  ｆｏｒｍａｔ）、及び無線ネットワーク一時識別子（ＲＮＴＩ）のうちの任意の１つ又は複数の方式によって、分割関連パラメータ及び／又はハードウェアパラメータを取得する。
【０１１２】
本発明の実施例の装置は、指示ユニットをさらに備え、指示ユニットは、伝送モード指示、ＤＣＩ  ｆｏｒｍａｔ、及びＲＮＴＩで直接指示する方式のうちの任意の１つ又は複数の方式によって、最大の情報パケット長Ｋmaxを取得する。
【０１１３】
分割ユニットは、取得した分割関連パラメータ、ハードウェアパラメータ、及び決定した最大の情報パケット長に基づいて、最大の情報パケット長を超えたトランスポートブロックを２つ以上のコードブロックに分割し、
コードブロックの分割後の情報長さが、決定した最大の情報パケット長よりも小さい。
【０１１４】
分割関連パラメータは、トランスポートブロックのサイズＢ、符号化ブロックＣＲＣの長さＬをさらに含む。
【０１１５】
ハードウェアパラメータは、エンコーダがサポートする情報パケット長の集合{Ｋ}interleaverを少なくとも含む。
【０１１６】
分割ユニットは、
トランスポートブロックのサイズＢ、符号化ブロックＣＲＣの長さＬ、及び最大の情報パケット長Ｋmaxに基づいて、分割されるコードブロック数Ｃを決定し、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定し、
決定したそれぞれのコードブロックの情報パケット長に基づいて、コードブロックの分割を行う。
【０１１７】
分割ユニットは、
式
2018516477.tif 000053
によって、分割されるコードブロック数Ｃを決定し、ただし、
2018516477.tif 000054
は、ｘを切り上げることを示し、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定し、
決定したそれぞれのコードブロックの情報パケット長に基づいて、コードブロックの分割を行う。
【０１１８】
分割ユニットは、
トランスポートブロックのサイズＢ、符号化ブロックＣＲＣの長さＬ、及び最大の情報パケット長Ｋmaxに基づいて、分割されるコードブロック数Ｃを決定し、
トランスポートブロックのサイズＢが（Ｋmax−Ｌ）又はコードブロック数Ｃで割れ切れることができれば、それぞれのコードブロックの情報パケット長はいずれもＢ／Ｃであり、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分け、
第１のタイプのコードブロックのコードブロック情報パケット長ＫIは、エンコーダがサポートする情報パケット長の集合{Ｋ}interleaverのうち、コードブロック数Ｃに第１のタイプのコードブロックのコードブロック情報パケット長ＫIを乗じたものがトランスポートブロックのサイズＢ以上であることを満たすＫの最小値であり、
第２のタイプのコードブロックのコードブロック情報パケット長ＫIIは、エンコーダがサポートする情報パケット長の集合{Ｋ}interleaverのうち、第２のタイプのコードブロックのコードブロック情報パケット長ＫIIが第１のタイプのコードブロックのコードブロック情報パケット長ＫIよりも小さいことを満たすＫの最大値であり、
決定したそれぞれのコードブロックの情報パケット長に基づいて、コードブロックの分割を行う。
【０１１９】
分割ユニットは、
トランスポートブロックのサイズＢ、符号化ブロックＣＲＣの長さＬ、及び最大の情報パケット長Ｋmaxに基づいて、分割されるコードブロック数Ｃを決定し、
トランスポートブロックのサイズＢが（Ｋmax−Ｌ）又はコードブロック数Ｃで割れ切れることができれば、それぞれのコードブロックの情報パケット長はいずれもＢ／Ｃであり、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分け、
式
2018516477.tif 000055
から第１のタイプのコードブロックのコードブロック情報パケット長ＫIを算出し、
式
2018516477.tif 000056
から第２のタイプのコードブロックのコードブロック情報パケット長ＫIIを算出し、
第１のタイプのコードブロック数ＣI及び第２のタイプのコードブロックＣIIは、
2018516477.tif 000057
、
2018516477.tif 000058
を満たし、
決定したそれぞれのコードブロックの情報パケット長に基づいて、コードブロックの分割を行う。
【０１２０】
本発明の実施例の装置は、設定ユニットをさらに備え、設定ユニットは、分割ユニットでのコードブロックの分割が終了した後、前ＣII個のコードブロックを第２のタイプのコードブロックとし、後ＣI個のコードブロックを第１のタイプのコードブロックとする。
【０１２１】
本発明の実施例の装置は、結合ユニットをさらに備え、結合ユニットは、分割後のそれぞれのコードブロックに対してＣＲＣを付加し、チャネルコーディング及びレートマッチングを行った後、対応する符号化済みコードブロックを得、得られた符号化済みコードブロックのコードブロック結合を行う。
【０１２２】
本発明の実施例の装置は、チェックユニットをさらに備え、チェックユニットは、分割された２つ以上のコードブロックをパケット符号化し、チェックデータブロックを生成する。
【０１２３】
本発明の実施例の装置は、削除ユニットをさらに備え、削除ユニットは、
それぞれの符号化済みコードブロックにおける任意位置の一部のビット、及びパケット符号化で生成したそれぞれのチェックデータブロックにおける任意位置の一部のビットを削除し、
一部のビットは、以下の算出方式によって取得される。
【０１２４】
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になる。
【０１２５】
本発明の実施例の装置は、チェック結合ユニットをさらに備え、チェック結合ユニットは、一部のビットが削除された符号化済みコードブロックと、一部のビットが削除されたパケット符号化で生成したチェックデータブロックとをコードブロック結合し、
コードブロック結合とは、一部のビットが削除された符号化済みコードブロックと一部のビットが削除されたパケット符号化で生成したチェックデータブロックとのビットを縦列連接するとともに、一部のビットが削除されたパケット符号化で生成したチェックデータブロックを、一部のビットが削除された符号化済みコードブロックより後に置くことである。
【０１２６】
以下、実施例を通じて本発明の実施例の方法について明確で詳しく説明する。
【０１２７】
（実施例１）
３ＧＰＰ  ＬＴＥ及びその拡張技術に基づく通信システムにおいて、第１のトランスポートノードが第２のトランスポートノードへ長さがＢ個のビットであるトランスポートブロックを送信し、取得した分割関連パラメータにおける、それぞれのコードブロックが時間領域において占用することが許可される最大のＯＦＤＭシンボルの数Ｎcb、伝送信号が占用する周波数領域におけるサブキャリアの数Ｎsubcarrierに基づいて、それぞれのコードブロックが占用することが許可される最大のリソースエレメントの数
2018516477.tif 000059
を算出する。
【０１２８】
それぞれのコードブロックが占用することが許可される最大のリソースエレメントの数ＮRE、伝送信号の変調方式Ｍ、トランスポートブロックの伝送レートＲ、及び伝送信号が占用する空間レイヤ数Ｎlayerに基づいて、符号化ブロックの第１の情報パケット長
2018516477.tif 000060
を決定する。
【０１２９】
エンコーダがサポートする最大の情報パケット長Ｋencoder、エンコーダがサポートする情報パケット長の集合{Ｋ}interleaver、及びコードブロックの第１の情報パケット長ＫＲに基づいて、最大の情報パケット長Ｋmaxを決定する。最大の情報パケット長Ｋencoderは、エンコーダがサポートする情報パケット長の集合{Ｋ}interleaverのうちの最大の要素である。
【０１３０】
オプションとして、第１の情報パケット長ＫＲとエンコーダがサポートする最大の情報パケット長Ｋencoderとの大きさを比較し、
2018516477.tif 000061
になる。
【０１３１】
式
2018516477.tif 000062
によって、最大の情報パケット長Ｋmaxを決定する。
【０１３２】
ただし、
2018516477.tif 000063
である。
【０１３３】
トランスポートブロックのサイズＢ＞Ｋmaxである場合、トランスポートブロックを複数のコードブロックに分割し、オプションとして、
取得した分割関連パラメータにおけるトランスポートブロックのサイズＢ、符号化ブロックＣＲＣの長さＬ、最大の情報パケット長Ｋmaxに基づいて、分割後の符号化ブロックの数Ｃを決定するようにしてもよい。
【０１３４】
本実施例において、Ｂは（Ｋmax−Ｌ）で割れ切れることができ、符号化ブロックの数Ｃは、
2018516477.tif 000064
で示されることができる。
【０１３５】
それぞれのコードブロックの情報パケット長は、Ｂ／Ｃである。
【０１３６】
オプションとして、トランスポートブロックのコードブロックの分割を行った後のＣ個のコードブロックに対してそれぞれチャネルコーディング及びレートマッチングを行って、Ｃ個の符号化済みコードブロックを得、そしてＣ個の符号化済みコードブロックをコードブロック結合するようにしてもよい。
【０１３７】
図８は、本発明の実施例１のコードブロックの分割を示す図である。図８に示されるように、任意の符号化ブロックが時間領域において１つのＯＦＤＭシンボルを占用することが許可され、即ち、Ｎcb＝１であり、このように、平均したら、それぞれのコードブロックは時間領域において、時間の長さが１つのＯＦＤＭシンボルを超えないように制限され、受信ノードがコードブロックを受信するたびに、すぐにデコードし始めることができる。なお、Ｎcbは、１を超えてもよく、一般、遅延時間に敏感なサービスは、Ｎcbの取りうる値が小さくなり（最小値が１である）、遅延時間に敏感でないサービスは、Ｎcbの取りうる値が大きくなる。このように、Ｎcbを調整することで、トランスポートノードが遅延時間を制御することを強化し、特に、スーパーリアルタイム及び遅延時間可変な通信場面に適合する。
【０１３８】
（実施例２）
３ＧＰＰ  ＬＴＥ及びその拡張技術に基づく通信システムにおいて、第１のトランスポートノードが第２のトランスポートノードへ長さがＢ個のビットであるトランスポートブロックを送信し、取得した分割関連パラメータにおける、トランスポートブロックのサイズＢ、コードブロックＣＲＣの長さＬ、トランスポートブロックが占用する時間領域におけるＯＦＤＭシンボルの数Ｎtb、それぞれの符号化ブロックが時間領域において占用することが許可される最大のＯＦＤＭシンボルの数Ｎcbに基づいて、符号化ブロックの第２の情報パケット長ＫR
2018516477.tif 000065
を決定する。
【０１３９】
エンコーダがサポートする最大の情報パケット長Ｋencoder、エンコーダがサポートする情報パケット長の集合{Ｋ}interleaverに基づいて、最大の情報パケット長Ｋmaxを決定する。最大の情報パケット長Ｋencoderは、エンコーダがサポートする情報パケット長の集合{Ｋ}interleaverのうちの最大の要素である。
【０１４０】
式
2018516477.tif 000066
によって、最大の情報パケット長Ｋmaxを決定する。
【０１４１】
トランスポートブロックのサイズＢ＞Ｋmaxである場合、トランスポートブロックを複数のコードブロックに分割する。
【０１４２】
取得した分割関連パラメータにおけるトランスポートブロックのサイズＢ、コードブロックＣＲＣの長さＬ、最大の情報パケット長Ｋmaxに基づいて、分割後の符号化ブロックの数Ｃを決定する。
【０１４３】
本実施例において、Ｂは（Ｋmax−Ｌ）で割れ切れることができず、コードブロックの数Ｃは、
2018516477.tif 000067
で示されることができ、
ただし、
2018516477.tif 000068
はｘを切り上げることを示す。
【０１４４】
そして、エンコーダがサポートする情報パケット長の集合{Ｋ}interleaverに基づいて、それぞれのコードブロックの情報パケット長を決定する。
【０１４５】
トランスポートブロックのサイズＢは（Ｋmax−Ｌ）又はコードブロック数Ｃで割れ切れることができず、符号化ブロックＣの符号化ブロックを、コードブロック情報パケット長が異なる第１のタイプのコードブロック及び第２のタイプのコードブロックに分ける。
【０１４６】
第１のタイプのコードブロックのコードブロック情報パケット長ＫIは、エンコーダがサポートする情報パケット長の集合{Ｋ}interleaverのうち、コードブロック数Ｃに第１のタイプのコードブロックのコードブロック情報パケット長ＫIを乗じたものがトランスポートブロックのサイズＢ以上であることを満たすＫの最小値であり、
第２のタイプのコードブロックのコードブロック情報パケット長ＫIIは、エンコーダがサポートする情報パケット長の集合{Ｋ}interleaverのうち、第２のタイプのコードブロックのコードブロック情報パケット長ＫIIが第１のタイプのコードブロックのコードブロック情報パケット長ＫIよりも小さいことを満たすＫの最大値である。
【０１４７】
オプションとして、第１のタイプのコードブロックのコードブロック情報パケット長ＫIは、
2018516477.tif 000069
である。
【０１４８】
第２のタイプのコードブロックのコードブロック情報パケット長ＫIIは、
2018516477.tif 000070
である。
【０１４９】
第１のタイプのコードブロック数ＣI及び第２のタイプのコードブロックＣIIは、
2018516477.tif 000071
、
2018516477.tif 000072
を満たす。
【０１５０】
オプションとして、トランスポートブロックのコードブロックの分割を行った後のＣ個のコードブロックに対してそれぞれチャネルコーディング及びレートマッチングを行って、Ｃ個の符号化済みコードブロックを得、そして前記Ｃ個の符号化済みコードブロックをコードブロック結合し、前ＣII個のコードブロックがタイプIIのコードブロックであり、後ＣI個のコードブロックがタイプIのコードブロックである。
【０１５１】
図９は、本発明の実施例２のコードブロックの分割を示す図であり、図面における左側の斜め線付きボックス部分の符号化ブロックは、タイプIIのコードブロックである。本実施例では、それぞれのコードブロックが時間領域において占用するＯＦＤＭシンボルの数を限定することで、遅延時間を制御する目的を達成する。同時に、本実施例に提供されるコードブロックの分割方法は、トランスポートブロックの長さがコードブロック数で割れ切れることができない場面に対応する。
【０１５２】
（実施例３）
本実施例は、すべての符号化ブロックが時間領域において占用することが許可される最大のＯＦＤＭシンボルの数Ｎcbが伝送モード指示によって指示される点で、実施例１又は実施例２と異なる。
【０１５３】
例えば、システムについて、それぞれ、異なる遅延時間要求に対する３つの場面における伝送モードを示す新しい伝送モードＡ，Ｂ，Ｃを定義し、伝送モードＡを用いると、遅延時間要求が最も高く、単一のコードブロックが占用するＯＦＤＭシンボルの数が１つを超えることができず、伝送モードＢを用いると、遅延時間要求が２番目に高く、単一のコードブロックが占用するＯＦＤＭシンボルの数が３つを超えることができず、伝送モードＣを用いると、遅延時間要求が最も低く、単一のコードブロックが占用するＯＦＤＭシンボルの数が１４つを超えることができない。
【０１５４】
基地局は、上位層シグナリングにより伝送モードＡ又はＢ又はＣを準静的に構成し、つまり、伝送モード指示には、単一のコードブロックが占用可能な最大のＯＦＤＭシンボルの数が暗に指示されている。
【０１５５】
（実施例４）
実施例３に比べ、本実施例のコードブロックの最大の情報パケット長Ｋmaxは伝送モードによって指示される。
【０１５６】
（実施例５）
本実施例は、すべてのコードブロックが時間領域において占用することが許可される最大のＯＦＤＭシンボルの数Ｎcbが下り制御情報フォーマット（ＤＣＩ  ｆｏｒｍａｔ）によって指示される点で、実施例３と異なる。
【０１５７】
例えば、システムについて、それぞれ、異なる遅延時間要求に対する３つの場面における伝送モードを示すＤＣＩ  ｆｏｒｍａｔ  Ｘ，Ｙ，Ｚを定義し、ＤＣＩ  ｆｏｒｍａｔ  Ｘを用いると、遅延時間要求が最も高く、単一のコードブロックが占用するＯＦＤＭシンボルの数が１つを超えることができず、ＤＣＩ  ｆｏｒｍａｔ  Ｙを用いると、遅延時間要求が２番目に高く、単一のコードブロックが占用するＯＦＤＭシンボルの数が３つを超えることができず、ＤＣＩ  ｆｏｒｍａｔ  Ｚを用いると、遅延時間要求が最も低く、単一のコードブロックが占用するＯＦＤＭシンボルの数が１４つを超えることができない。
【０１５８】
ＤＣＩ  ｆｏｒｍａｔは、物理下り制御チャネルで基地局から中継局又は端末に送信されるか、中継局から端末に送信されることができる。
【０１５９】
（実施例６）
本実施例は、コードブロックの最大の情報パケット長Ｋmaxが下り制御情報フォーマット（ＤＣＩ  ｆｏｒｍａｔ）によって指示される点で、実施例５と異なる。
【０１６０】
（実施例７）
本実施例は、すべてのコードブロックが時間領域において占用することが許可される最大のＯＦＤＭシンボルの数Ｎcbが無線ネットワーク一時識別子（ＲＮＴＩ）によって暗に指示される点で、実施例５と異なる。
【０１６１】
例えば、システムについて、それぞれ、異なる遅延時間要求に対する３つの場面における伝送モードを示すＲＮＴＩ  １，２，３を定義し、ＲＮＴＩ  １を用いると、遅延時間要求が最も高く、単一のコードブロックが占用するＯＦＤＭシンボルの数が１つを超えることができず、ＲＮＴＩ  ２を用いると、遅延時間要求が２番目に高く、単一のコードブロックが占用するＯＦＤＭシンボルの数が３つを超えることができず、ＲＮＴＩ  ３を用いると、遅延時間要求が最も低く、単一のコードブロックが占用するＯＦＤＭシンボルの数が１４つを超えることができない。
【０１６２】
ＲＮＴＩは、基地局から中継局又は端末に割り当てられるか、中継局から端末に割り当てられ、そして、物理下り制御チャネルをスクランブルすることができる。
【０１６３】
（実施例８）
本実施例は、コードブロックの最大の情報パケット長Ｋmaxが無線ネットワーク一時識別子（ＲＮＴＩ）によって指示される点で、実施例７と異なる。
【０１６４】
（実施例９）
本実施例は、端末のキャッシュサイズを示すことができる品種別パラメータＵＥ  Ｃａｔｅｇｏｒｙ、トランスポートブロックが占用する時間領域におけるＯＦＤＭシンボルの数Ｎtb、すべての符号化ブロックが時間領域において占用することが許可される最大のＯＦＤＭシンボルの数Ｎcb、及び伝送レートＲに基づいて、符号化ブロックの最大の情報パケット長Ｋmaxを決定する点で、実施例１又は２と異なる。
【０１６５】
オプションとして、端末のキャッシュサイズを示すことができる品種別パラメータＵＥ  Ｃａｔｅｇｏｒｙに基づいて、１つのトランスポートブロックが占用可能な最大のソフトビット数ＮSoftbitsを得、トランスポートブロックが占用する時間領域におけるＯＦＤＭシンボルの数Ｎtb、すべての符号化ブロックが時間領域において占用することが許可される最大のＯＦＤＭシンボルの数Ｎcbに基づいて、トランスポートブロックに含まれる最小のコードブロック数
2018516477.tif 000073
を取得し、さらに、伝送レートＲに基づいて、コードブロックの参照情報パケット長
2018516477.tif 000074
を決定するようにしてもよい。
【０１６６】
符号化方式が畳み込み符号であれば、Ｋmax＝ＫRになる。
【０１６７】
符号化方式がＴｕｒｂｏ符号であれば、エンコーダがサポートする最大の情報パケット長Ｋencoder、エンコーダがサポートする情報パケット長の集合{Ｋ}interleaverに基づいて、最大の情報パケット長Ｋmaxを決定する。
【０１６８】
トランスポートブロックの符号化方式が畳み込み符号であれば、最大の情報パケット長Ｋmaxが、
2018516477.tif 000075
として決定される。
【０１６９】
トランスポートブロックの符号化方式がＴｕｒｂｏ符号であれば、最大の情報パケット長Ｋmaxが、
2018516477.tif 000076
として決定される。
【０１７０】
（実施例９）
本実施例と実施例１及び実施例２とを対比すると、
コードブロックの分割後のＣ個のコードブロックに対して、チャネルコーディング及びレートマッチングを行った後、Ｃ個の符号化済みコードブロックを得、そして、それぞれの符号化済みコードブロック内におけるインデックス位置が同じであるビット又はシンボルを符号化し、Ｓ個のチェックデータブロックを生成することと、
Ｃ個の元のコードブロックとＳ個のチェックデータブロックとのビット数の和が、パケット符号化前のＣ個の符号化済みコードブロックのビット数の和に等しくなるように、Ｃ個の符号化済みコードブロック及びＳ個のチェックデータブロックにおける一部のビットを削除することと、
一部のビットが削除されたＣ個の符号化済みコードブロックと、一部のビットが削除されたＳ個のチェックデータブロックとをコードブロック結合し、コードブロック結合とは、それぞれのコードブロックのビットを縦列連接するとともに、一部のビットが削除されたＳ個のチェックデータブロックを、一部のビットが削除されたＣ個の符号化済みコードブロックより後に置くことであることと、において相違する。
【０１７１】
図１０は、本発明の実施例９のコードブロックの分割を示す図であり、図１０に示されるように、図面における右側の斜め線付きボックス部分で示されるチェックデータブロックは、パケット符号化で発生したチェックデータブロックである。本実施例の処理により、トランスポートブロック全体の性能を保証する。
【０１７２】
上記方法におけるステップの全部又は一部は、プログラムを介して関連ハードウェア（例えば、プロセッサ）を命令することにより完成されることができ、前記プログラムは、コンピュータ読み取り可能な記憶媒体、例えば、リードオンリーメモリ、磁気ディスク又は光ディスク等に記憶されることができることは、当業者が理解されるべきである。オプションとして、上記実施例のステップの全部又は一部は、１つ又は複数の集積回路により実現されることもできる。これに応じて、上記実施例におけるそれぞれのモジュール／ユニットは、ハードウェアの形で実現されることもでき、例えば、集積回路を介してその対応する機能を実現することができれば、ソフトウェア機能モジュールの形で実現することもでき、例えば、プロセッサがメモリに記憶されるプログラム／命令を実行することでその対応する機能を実現する。本発明は、如何なる特定の形のハードウェア及びソフトウェアの組み合わせにも制限されていない。
【０１７３】
以上、本発明の実施形態を開示したが、上記内容は本発明を理解しやすくするための実施形態にすぎず、本願を限定することは意図していない。当業者であれば、本願で説明した思想や範囲から逸脱しない前提において、実施の形式及び詳細に何らの手直しや変化も可能であるが、記載した特許請求の範囲の保護範囲に基づいて本願の特許保護範囲が定められるべきである。
【産業上の利用可能性】
【０１７４】
本願の技術案は、コードブロックの分割に起因するシステムの遅延時間を低減し、コードブロックの分割で発生した遅延時間によってシステムの動作が妨害されることを回避し、システムの性能を向上させる。
【図１】
2018516477.tif 000105
【図２】
2018516477.tif 000106
【図３】
2018516477.tif 000107
【図４】
2018516477.tif 000108
【図５】
2018516477.tif 000109
【図６】
2018516477.tif 000110
【図７】
2018516477.tif 000111
【図８】
2018516477.tif 000112
【図９】
2018516477.tif 000113
【図１０】
2018516477.tif 000114
【手続補正書】
【提出日】平成29年11月30日(2017.11.30)
【手続補正１】
【補正対象書類名】明細書
【補正対象項目名】００１９
【補正方法】変更
【補正の内容】
【００１９】
オプションとして、分割関連パラメータは、ハードウェアパラメータをさらに含み、前記ハードウェアパラメータは、端末のキャッシュサイズを示すことができる品種別パラメータユーザ機器カテゴリーＵＥ  Ｃａｔｅｇｏｒｙであり、
前記物理チャネルリソースパラメータは、トランスポートブロックが占用する時間領域におけるＯＦＤＭシンボルの数Ｎtb、それぞれのコードブロックが時間領域において占用することが許可される最大のＯＦＤＭシンボルの数Ｎcbを少なくとも含み、
前記コードブロックの参照情報パケット長ＫRを決定することは、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得することと、
トランスポートブロックが占用する時間領域におけるＯＦＤＭシンボルの数Ｎtb、それぞれのコードブロックが時間領域において占用することが許可される最大のＯＦＤＭシンボルの数Ｎcbに基づいて、前記トランスポートブロック中に含まれる最小のコードブロック数ＣＢNumである、
2018516477.tif 000115
を取得することと、
式
2018516477.tif 000116
によって参照情報パケット長ＫRを取得することと、を含み、
ただし、
2018516477.tif 000117
は、Ｘを切り上げることを示すようにしてもよい。
【手続補正２】
【補正対象書類名】明細書
【補正対象項目名】００３９
【補正方法】変更
【補正の内容】
【００３９】
オプションとして、参照ユニットは、さらに、
端末のキャッシュサイズを示すことができる品種別パラメータＵＥ  Ｃａｔｅｇｏｒｙを少なくとも含むハードウェアパラメータを取得し、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを含む取得した物理チャネルリソースパラメータに基づいて、前記トランスポートブロック中に含まれる最小のコードブロック数ＣＢNumである、
2018516477.tif 000118
を取得し、
式
2018516477.tif 000119
によって参照情報パケット長ＫRを取得するようにしてもよい。
【手続補正３】
【補正対象書類名】明細書
【補正対象項目名】００５５
【補正方法】変更
【補正の内容】
【００５５】
【図１】関連技術におけるデジタル通信システムの構造ブロック図である。
【図２】関連技術におけるチャネルコーディングチェーンの処理のフローチャートである。
【図３】関連技術におけるコードブロックの分割を示す図である。
【図４】ＯＦＤＭシステムにおける時間長が１つのタイムスロットであるリソースブロックを示す図である。
【図５】関連技術のＬＴＥシステムにおける物理チャネルマッピング方法を示す図である。
【図６】本発明の実施例のコードブロックの分割を実現する方法のフローチャートである。
【図７】本発明の実施例のコードブロックの分割を実現する装置の構造ブロック図である。
【図８】本発明の実施例１のコードブロックの分割を示す図である。
【図９】本発明の実施例２のコードブロックの分割を示す図である。
【図１０】本発明の実施例１０のコードブロックの分割を示す図である。
【手続補正４】
【補正対象書類名】明細書
【補正対象項目名】００７２
【補正方法】変更
【補正の内容】
【００７２】
コードブロックの参照情報パケット長ＫＲを決定することは、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得することと、
トランスポートブロックが占用する時間領域におけるＯＦＤＭシンボルの数Ｎtb、それぞれのコードブロックが時間領域において占用することが許可される最大のＯＦＤＭシンボルの数Ｎcbに基づいて、前記トランスポートブロック中に含まれる最小のコードブロック数ＣＢNumである、
2018516477.tif 000120
を取得することと、
式
2018516477.tif 000121
によって参照情報パケット長ＫRを取得することと、を含む。
【手続補正５】
【補正対象書類名】明細書
【補正対象項目名】０１０５
【補正方法】変更
【補正の内容】
【０１０５】
参照ユニットは、さらに、
端末のキャッシュサイズを示すことができる品種別パラメータＵＥ  Ｃａｔｅｇｏｒｙを少なくとも含むハードウェアパラメータを取得し、
端末のキャッシュサイズを示すことができる品種別パラメータＵＥ  Ｃａｔｅｇｏｒｙに基づいて、トランスポートブロックが占用可能な最大のソフトビット数ＮSoftbitsを取得し、
トランスポートブロックが占用する時間領域におけるＯＦＤＭシンボルの数Ｎtb及びそれぞれのコードブロックが時間領域において占用することが許可される最大のＯＦＤＭシンボルの数Ｎcbを少なくとも含む、取得した物理チャネルリソースパラメータに基づいて、前記トランスポートブロック中に含まれる最小のコードブロック数ＣＢNumである、
2018516477.tif 000122
を取得し、
式
2018516477.tif 000123
によって参照情報パケット長ＫRを取得する。
【手続補正６】
【補正対象書類名】明細書
【補正対象項目名】０１６５
【補正方法】変更
【補正の内容】
【０１６５】
オプションとして、端末のキャッシュサイズを示すことができる品種別パラメータＵＥ  Ｃａｔｅｇｏｒｙに基づいて、１つのトランスポートブロックが占用可能な最大のソフトビット数ＮSoftbitsを得、トランスポートブロックが占用する時間領域におけるＯＦＤＭシンボルの数Ｎtb、すべての符号化ブロックが時間領域において占用することが許可される最大のＯＦＤＭシンボルの数Ｎcbに基づいて、トランスポートブロックに含まれる最小のコードブロック数
2018516477.tif 000124
を取得し、さらに、伝送レートＲに基づいて、コードブロックの参照情報パケット長
2018516477.tif 000125
を決定するようにしてもよい。
【手続補正７】
【補正対象書類名】明細書
【補正対象項目名】０１７０
【補正方法】変更
【補正の内容】
【０１７０】
（実施例１０）
本実施例と実施例１及び実施例２とを対比すると、
コードブロックの分割後のＣ個のコードブロックに対して、チャネルコーディング及びレートマッチングを行った後、Ｃ個の符号化済みコードブロックを得、そして、それぞれの符号化済みコードブロック内におけるインデックス位置が同じであるビット又はシンボルを符号化し、Ｓ個のチェックデータブロックを生成することと、
Ｃ個の元のコードブロックとＳ個のチェックデータブロックとのビット数の和が、パケット符号化前のＣ個の符号化済みコードブロックのビット数の和に等しくなるように、Ｃ個の符号化済みコードブロック及びＳ個のチェックデータブロックにおける一部のビットを削除することと、
一部のビットが削除されたＣ個の符号化済みコードブロックと、一部のビットが削除されたＳ個のチェックデータブロックとをコードブロック結合し、コードブロック結合とは、それぞれのコードブロックのビットを縦列連接するとともに、一部のビットが削除されたＳ個のチェックデータブロックを、一部のビットが削除されたＣ個の符号化済みコードブロックより後に置くことであることと、において相違する。
【手続補正８】
【補正対象書類名】明細書
【補正対象項目名】０１７１
【補正方法】変更
【補正の内容】
【０１７１】
図１０は、本発明の実施例１０のコードブロックの分割を示す図であり、図１０に示されるように、図面における右側の斜め線付きボックス部分で示されるチェックデータブロックは、パケット符号化で発生したチェックデータブロックである。本実施例の処理により、トランスポートブロック全体の性能を保証する。
【手続補正９】
【補正対象書類名】特許請求の範囲
【補正対象項目名】全文
【補正方法】変更
【補正の内容】
【特許請求の範囲】
【請求項１】
分割関連パラメータに基づいて、最大の情報パケット長を決定することと、
最大の情報パケット長を超えたトランスポートブロックを２つ以上のコードブロックに分割することと、を含み、
前記コードブロックの分割後の情報長さが、前記決定した最大の情報パケット長よりも小さい、
コードブロックの分割を実現する方法。
【請求項２】
前記分割関連パラメータは、物理チャネルリソースパラメータ、スペクトル効率パラメータ、及びハードウェアパラメータのうちの少なくとも１つを含む、
請求項１に記載の方法。
【請求項３】
前記分割関連パラメータに基づいて、最大の情報パケット長を決定することは、
前記分割関連パラメータに基づいて、コードブロックの参照情報パケット長を決定することと、
前記参照情報パケット長及びハードウェアパラメータに基づいて、最大の情報パケット長を決定することと、を含む、
請求項1又は２に記載の方法。
【請求項４】
最大の情報パケット長を超えたトランスポートブロックを２つ以上のコードブロックに分割することは、取得した分割関連パラメータ、及び決定した最大の情報パケット長に基づいて、最大の情報パケット長を超えたトランスポートブロックを２つ以上のコードブロックに分割することと、を含む、
請求項３に記載の方法。
【請求項５】
前記分割関連パラメータは、物理チャネルリソースパラメータ、スペクトル効率パラメータ、及びハードウェアパラメータのうちの少なくとも１つを含む場合、
前記スペクトル効率パラメータは、伝送信号の変調方式Ｍ、トランスポートブロックの伝送レートＲ、及び伝送信号が占用する空間レイヤ数Ｎlayerのうちの１つ又は複数のパラメータを含み、
前記物理チャネルリソースパラメータは、すべてのコードブロックが時間領域において占用することが許可される最大の直交周波数分割多重技術ＯＦＤＭシンボルの数Ｎcb及び伝送信号が占用する周波数領域におけるサブキャリアの数Ｎsubcarrierを含み、
前記参照情報パケット長を決定することは、
前記物理チャネルリソースパラメータ及び前記スペクトル効率パラメータに基づいてコードブロックの参照情報パケット長ＫＲを決定することを含み、
前記コードブロックの参照情報パケット長ＫRは、式
2018516477.tif 000126
によって取得され、
前記伝送信号が占用する周波数領域におけるサブキャリアの数Ｎsubcarrierは、伝送信号が占用するリソースブロックの数ＮRBとそれぞれのリソースブロックに含まれるサブキャリアの数ＮSPとの積に等しい、
請求項４に記載の方法。
【請求項６】
前記分割関連パラメータは、物理チャネルリソースパラメータを含む場合、
前記物理チャネルリソースパラメータは、トランスポートブロックが占用する時間領域における直交周波数分割多重技術ＯＦＤＭシンボルの数Ｎtb及びそれぞれのコードブロックが時間領域において占用することが許可される最大のＯＦＤＭシンボルの数Ｎcbを含み、前記分割関連パラメータは、トランスポートブロックのサイズＢ、符号化ブロック巡回冗長検査符号ＣＲＣの長さＬをさらに含み、
前記コードブロックの参照情報パケット長ＫRを決定することは、
トランスポートブロックのサイズＢ、符号化ブロックＣＲＣの長さＬ及び物理チャネルリソースパラメータによってコードブロックの参照情報パケット長ＫRを決定することを含み、
前記コードブロックの参照情報パケット長ＫRは、式
2018516477.tif 000127
によって取得される、
請求項４に記載の方法。
【請求項７】
前記分割関連パラメータは、ハードウェアパラメータを含む場合、前記ハードウェアパラメータは、端末のキャッシュサイズを示すことができる品種別パラメータユーザ機器カテゴリーＵＥ  Ｃａｔｅｇｏｒｙであり、
前記物理チャネルリソースパラメータは、トランスポートブロックが占用する時間領域における直交周波数分割多重技術ＯＦＤＭシンボルの数Ｎtb、それぞれのコードブロックが時間領域において占用することが許可される最大のＯＦＤＭシンボルの数Ｎcbを含み、
前記コードブロックの参照情報パケット長ＫRを決定することは、
前記端末のキャッシュサイズを示すことができる品種別パラメータＵＥ  Ｃａｔｅｇｏｒｙに基づいて、トランスポートブロックが占用可能な最大のソフトビット数ＮSoftbitsを取得することと、
トランスポートブロックが占用する時間領域におけるＯＦＤＭシンボルの数Ｎtb、それぞれのコードブロックが時間領域において占用することが許可される最大のＯＦＤＭシンボルの数Ｎcbに基づいて、前記トランスポートブロック中に含まれる最小のコードブロック数ＣＢNumである、
2018516477.tif 000128
を取得することと、
式
2018516477.tif 000129
によって参照情報パケット長ＫRを取得することと、を含み、
ただし、
2018516477.tif 000130
は、Ｘを切り上げることを示す、
請求項４に記載の方法。
【請求項８】
前記ハードウェアパラメータは、エンコーダがサポートする最大の情報パケット長Ｋencoder、及び／又はエンコーダがサポートする情報パケット長の集合{Ｋ}interleaverであり、
トランスポートブロックの符号化方式が畳み込み符号であれば、前記最大の情報パケット長Ｋmaxが
2018516477.tif 000131
として決定され、
トランスポートブロックの符号化方式がターボＴｕｒｂｏ符号であれば、
参照情報パケット長ＫRが、前記エンコーダがサポートする最大の情報パケット長Ｋencoderよりも小さい場合、エンコーダがサポートする情報パケット長の集合{Ｋ}interleaverから、コードブロックの参照情報パケット長ＫＲ以上であり且つＫRに最も近い情報パケット長を選んでコードブロックの最大の情報パケット長Ｋmaxとし、
前記参照情報パケット長ＫRが、前記エンコーダがサポートする最大の情報パケット長Ｋencoder以上である場合、前記エンコーダがサポートする最大の情報パケット長Ｋencoderを選んでコードブロックの最大の情報パケット長Ｋｍａｘとするように、前記最大の情報パケット長Ｋmaxが決定され、
ただし、関数ｍｉｎ（）は、最小値を取ることを示し、
トランスポートブロックの符号化方式がＴｕｒｂｏ符号であれば、前記最大の情報パケット長Ｋmaxは、式
2018516477.tif 000132
によって取得され、
2018516477.tif 000133
は、Ｆ（Ｘ）が最小値を取得することを示す、
請求項５乃至７のうち何れか一項に記載の方法。
【請求項９】
前記分割関連パラメータ及び／又はハードウェアパラメータは、伝送モード指示、下り制御情報フォーマットＤＣＩ  ｆｏｒｍａｔ及び無線ネットワーク一時識別子ＲＮＴＩのうち任意の１つ又は複数の方式によって取得され、或いは、
伝送モード指示、下り制御情報フォーマットＤＣＩ  ｆｏｒｍａｔ、又は無線ネットワーク一時識別子ＲＮＴＩで直接指示することにより、前記最大の情報パケット長Ｋmaxを取得すること、をさらに含む、
請求項２乃至７のうち何れか一項に記載の方法。
【請求項１０】
前記分割関連パラメータは、トランスポートブロックのサイズＢ、符号化ブロック巡回冗長検査符号ＣＲＣの長さＬをさらに含み、
前記ハードウェアパラメータは、エンコーダがサポートする情報パケット長の集合{Ｋ}interleaverを含み、
前記コードブロックの分割は、
トランスポートブロックのサイズＢ、符号化ブロックＣＲＣの長さＬ、及び前記最大の情報パケット長Ｋmaxに基づいて、分割されるコードブロック数Ｃを決定することと、
エンコーダがサポートする情報パケット長の集合{Ｋ}interleaver、コードブロック数Ｃ、トランスポートブロックのサイズＢ、及び符号化ブロックＣＲＣの長さＬに基づいて、それぞれのコードブロックの情報パケット長を決定することと、
決定したそれぞれのコードブロックの情報パケット長に基づいて、コードブロックの分割を行うことと、を含む、
請求項２に記載の方法。
【請求項１１】
前記分割されるコードブロック数Ｃが、
2018516477.tif 000134
として決定され、
ただし、
2018516477.tif 000135
は、ｘを切り上げることを示す、
請求項１０に記載の方法。
【請求項１２】
それぞれのコードブロックの情報パケット長を決定することは、
トランスポートブロックのサイズＢが（Ｋmax−Ｌ）又はコードブロック数Ｃで割れ切れることができれば、それぞれのコードブロックの情報パケット長はいずれもＢ／Ｃであることと、
トランスポートブロックのサイズＢが（Ｋmax−Ｌ）又はコードブロック数Ｃで割れ切れることができなければ、符号化ブロックＣの符号化ブロックを、コードブロック情報パケット長が異なる第１のタイプのコードブロック及び第２のタイプのコードブロックに分けることと、を含み、
前記第１のタイプのコードブロックのコードブロック情報パケット長ＫIは、エンコーダがサポートする情報パケット長の集合{Ｋ}interleaverのうち、コードブロック数Ｃに前記第１のタイプのコードブロックのコードブロック情報パケット長ＫIを乗じたものがトランスポートブロックのサイズＢ以上であることを満たすＫの最小値であり、
前記第２のタイプのコードブロックのコードブロック情報パケット長ＫIIは、エンコーダがサポートする情報パケット長の集合{Ｋ}interleaverのうち、前記第２のタイプのコードブロックのコードブロック情報パケット長ＫIIが前記第１のタイプのコードブロックのコードブロック情報パケット長ＫIよりも小さいことを満たすＫの最大値であり、
前記第１のタイプのコードブロックのコードブロック情報パケット長ＫIは、
2018516477.tif 000136
であり、
前記第２のタイプのコードブロックのコードブロック情報パケット長ＫIIは、
2018516477.tif 000137
であり、
前記第１のタイプのコードブロック数ＣI及び前記第２のタイプのコードブロックＣIIは、
2018516477.tif 000138
、
2018516477.tif 000139
、を満たし、
ただし、
2018516477.tif 000140
は、ｘを切り下げることを示す、
請求項１０に記載の方法。
【請求項１３】
コードブロックの分割が終了した後、前ＣII個のコードブロックを前記第２のタイプのコードブロックとし、後ＣI個のコードブロックを前記第１のタイプのコードブロックとすること、をさらに含む、
請求項１２に記載の方法。
【請求項１４】
分割後のそれぞれのコードブロックに対して巡回冗長検査符号ＣＲＣを付加し、チャネルコーディング及びレートマッチングを行った後、対応する符号化済みコードブロックを得、得られた符号化済みコードブロックのコードブロック結合を行うこと、をさらに含む、
請求項１に記載の方法。
【請求項１５】
分割された２つ以上のコードブロックをパケット符号化し、チェックデータブロックを生成すること、をさらに含み、
それぞれの前記符号化済みコードブロックにおける任意位置の一部のビット、及びパケット符号化で生成したそれぞれの前記チェックデータブロックにおける任意位置の前記一部のビットを削除すること、
一部のビットが削除された前記符号化済みコードブロックと、一部のビットが削除された前記パケット符号化で生成したチェックデータブロックとをコードブロック結合すること、をさらに含み、
前記一部のビットのサイズの算出は、
すべての符号化済みコードブロックとすべてのパケット符号化で生成したチェックデータブロックとのビットの和、及びパケット符号化前のすべての符号化済みコードブロックのビット数の和を算出し、
すべての符号化済みコードブロックとすべてのパケット符号化で生成したチェックデータブロックとのビットの和から、パケット符号化前のすべての符号化済みコードブロックのビット数の和を減算して、ビットの差を取得し、
符号化済みコードブロックのコードブロック数と、パケット符号化で生成したチェックデータブロックのデータブロック数とを加算して、情報ブロックの総和を取得し、
取得された前記ビットの差を前記取得された情報ブロックの総和で割った商が、前記一部のビットの値になるステップによって行われ、
前記コードブロック結合とは、一部のビットが削除された前記符号化済みコードブロックと一部のビットが削除された前記パケット符号化で生成したチェックデータブロックとのビットを縦列連接するとともに、一部のビットが削除された前記パケット符号化で生成したチェックデータブロックを、一部のビットが削除された前記符号化済みコードブロックより後に置くことである、
請求項１４に記載の方法。
【請求項１６】
分割関連パラメータに基づいて、最大の情報パケット長を決定するための決定ユニットと、
最大の情報パケット長を超えたトランスポートブロックを２つ以上のコードブロックに分割するための分割ユニットと、を備え、
前記コードブロックの分割後の情報長さが、前記決定した最大の情報パケット長よりも小さい、
コードブロックの分割を実現する装置。
【請求項１７】
分割関連パラメータに基づいて、コードブロックの参照情報パケット長を決定するための参照ユニットと、
参照情報パケット長及びハードウェアパラメータに基づいて、最大の情報パケット長を決定するための決定ユニットと、を備える、
請求項１６に記載の装置。
【請求項１８】
前記分割ユニットは分割関連パラメータ、及び決定した最大の情報パケット長に基づいて、最大の情報パケット長を超えたトランスポートブロックを２つ以上のコードブロックに分割する、
請求項１７に記載の装置。
【国際調査報告】
2018516477.tif 000141
2018516477.tif 000142
2018516477.tif 000143
2018516477.tif 000144